(57)【特許請求の範囲】
【請求項１】
相対向する長方形状の第１及び第２の主面と、前記第１及び第２の主面間を連結するように伸びている相対向する第１及び第２の側面と、前記第１及び第２の主面間を連結するように伸びている相対向する第３及び第４の側面とをその外表面として有し、且つ誘電特性を有するコンデンサ素体と、
前記コンデンサ素体内に配置された第１の数の信号用内部電極及び第２の数の接地用内部電極と、
前記コンデンサ素体の前記外表面に配置された第１及び第２の信号用端子電極並びに接地用端子電極と、を備えており、
前記各信号用内部電極は、信号用主電極部と、前記信号用主電極部から前記コンデンサ素体の前記外表面に引き出されるように伸びて前記第１の信号用端子電極に接続される第１の信号用引き出し電極部と、前記信号用主電極部から前記コンデンサ素体の前記外表面に引き出されるように伸びて前記第２の信号用端子電極に接続される第２の信号用引き出し電極部とを有し、
前記各接地用内部電極は、接地用主電極部と、前記接地用主電極部から前記コンデンサ素体の前記外表面に引き出されるように伸びて前記接地用端子電極に接続される接地用引き出し電極部とを有し、
前記第１の数の信号用内部電極の少なくとも１つの信号用内部電極の信号用主電極部は、前記コンデンサ素体の一部である第１の誘電領域を間に挟んで前記第２の数の接地用内部電極の少なくとも１つの接地用内部電極の接地用主電極部と対向する領域を有し、
前記第１の数の信号用内部電極の少なくとも１つの信号用内部電極の信号用主電極部は、前記コンデンサ素体の一部である第２の誘電領域を間に挟んで他の信号用内部電極の信号用主電極部と対向する領域を有し、
前記第１の数は、前記第２の数より大きく、
前記各接地用内部電極は、前記第１の主面と前記第２の主面との対向方向で互いに離れて配置されており、
前記第１の数の信号用内部電極は、前記第２の数の接地用内部電極のうち最も前記第１の主面側に配置された接地用内部電極と前記第１の主面との間と、前記第２の数の接地用内部電極のうち最も前記第２の主面側に配置された接地用内部電極と前記第２の主面との間と、最も前記第１の主面側に配置された前記接地用内部電極と最も前記第２の主面側に配置された前記接地用内部電極との間と、に配置されており、
最も前記第１の主面側に配置された前記接地用内部電極と前記第１の主面との間に配置された前記信号用内部電極の数と、最も前記第２の主面側に配置された前記接地用内部電極と前記第２の主面との間に配置された前記信号用内部電極の数とは、最も前記第１の主面側に配置された前記接地用内部電極と最も前記第２の主面側に配置された前記接地用内部電極との間に配置された前記信号用内部電極の数よりもそれぞれ多いことを特徴とする貫通型積層コンデンサ。
【請求項２】
前記第１の誘電領域の前記第１及び第２の主面の対向方向での長さが、前記第２の誘電領域の前記第１及び第２の主面の対向方向での長さよりも長いことを特徴とする請求項１記載の貫通型積層コンデンサ。
【請求項３】
前記第１及び第２の信号用端子電極はそれぞれ、前記第１又は第２の側面に配置されており、
前記各信号用内部電極の前記第１の信号用引き出し電極部は、前記第１の信号用端子電極が配置された前記第１又は第２の側面に引き出されるように伸び、
前記各信号用内部電極の前記第２の信号用引き出し電極部は、前記第２の信号用端子電極が配置された前記第１又は第２の側面に引き出されるように伸びていることを特徴とする請求項１又は２記載の貫通型積層コンデンサ。
【請求項４】
前記各信号用内部電極において、前記第３及び第４の側面の対向方向での前記信号用主電極部の幅と前記第３及び第４の側面の対向方向での前記第１の信号用引き出し電極部の幅と前記第３及び第４の側面の対向方向での前記第２の信号用引き出し電極部の幅とが同じであることを特徴とする請求項３記載の貫通型積層コンデンサ。
【請求項５】
前記各信号用内部電極において、前記第３及び第４の側面の対向方向での前記信号用主電極部の幅は、前記第３及び第４の側面の対向方向での前記第１の信号用引き出し電極部の幅並びに前記第３及び第４の側面の対向方向での前記第２の信号用引き出し電極部の幅の何れよりも広いことを特徴とする請求項３記載の貫通型積層コンデンサ。
【請求項６】
前記第３及び第４の側面の対向方向での前記信号用主電極部の幅は、前記第３及び第４の側面の対向方向での前記接地用主電極部の幅より広いことを特徴とする請求項３〜５の何れか一項記載の貫通型積層コンデンサ。
【請求項７】
前記接地用端子電極は、前記第３又は第４の側面に配置されており、
前記接地用内部電極の前記接地用引き出し電極部は、前記接地用端子電極が配置された前記第３又は第４の側面に引き出されるように伸び、
前記第１及び第２の側面の対向方向での前記接地用引き出し電極部の幅は、前記第３及び第４の側面の対向方向での前記第１の信号用引き出し電極部の幅並びに前記第３及び第４の側面の対向方向での前記第２の信号用引き出し電極部の幅の何れよりも広いことを特徴とする請求項３〜６の何れか一項記載の貫通型積層コンデンサ。
【発明の詳細な説明】
【技術分野】
【０００１】
本発明は、貫通型積層コンデンサに関する。
【背景技術】
【０００２】
貫通型積層コンデンサとして、誘電体層と信号用内部電極及び接地用内部電極とが交互に積層されたコンデンサ素体と、当該コンデンサ素体に形成された信号用端子電極及び接地用端子電極とを備えたものが知られている（例えば、特許文献１参照）。
【先行技術文献】
【特許文献】
【０００３】
【特許文献１】特開平０１−２０６６１５号公報
【発明の概要】
【発明が解決しようとする課題】
【０００４】
本発明は、静電容量が大きくなることを抑制しつつ、直流抵抗が大きくなることを抑制することが可能な貫通型積層コンデンサを提供することを課題とする。
【課題を解決するための手段】
【０００５】
ところで、一般的な貫通型積層コンデンサにあっては、直流抵抗が大きくなるとコンデンサから発生する熱が大きくなってしまう。そこで、本発明者らは、直流抵抗が大きくなることを抑制すべく、鋭意検討した結果、信号用内部電極の数を多くすることで貫通型積層コンデンサの直流抵抗を小さくすることが可能となるという事実を見出すに至った。
【０００６】
しかしながら、信号用内部電極の数が多くなるようにコンデンサ素体内に配置される内部電極の数を増やすと、貫通型積層コンデンサの静電容量が大きくなってしまう。貫通型積層コンデンサの静電容量が大きくなると、高周波数化に対応することが難しくなってしまう。
【０００７】
そこで、本発明者らはさらに、静電容量の抑制と直流抵抗の抑制との双方の要求を満たし得る貫通型積層コンデンサについて鋭意研究を行った。その結果、本発明者等は、信号用内部電極の数を多くするとともに、信号用内部電極同士を対向させることで、静電容量及び直流抵抗の双方が抑制されるとの新たな事実を見出すに至った。
【０００８】
かかる研究結果を踏まえ、本発明に係る貫通型積層コンデンサは、相対向する長方形状の第１及び第２の主面と、第１及び第２の主面間を連結するように伸びている相対向する第１及び第２の側面と、第１及び第２の主面間を連結するように伸びている相対向する第３及び第４の側面とをその外表面として有し、且つ誘電特性を有するコンデンサ素体と、コンデンサ素体内に配置された第１の数の信号用内部電極及び第２の数の接地用内部電極と、コンデンサ素体の外表面に配置された第１及び第２の信号用端子電極並びに接地用端子電極と、を備えており、各信号用内部電極は、信号用主電極部と、信号用主電極部からコンデンサ素体の外表面に引き出されるように伸びて第１の信号用端子電極に接続される第１の信号用引き出し電極部と、信号用主電極部からコンデンサ素体の外表面に引き出されるように伸びて第２の信号用端子電極に接続される第２の信号用引き出し電極部とを有し、各接地用内部電極は、接地用主電極部と、接地用主電極部からコンデンサ素体の外表面に引き出されるように伸びて接地用端子電極に接続される接地用引き出し電極部とを有し、第１の数の信号用内部電極の少なくとも１つの信号用内部電極の信号用主電極部は、コンデンサ素体の一部である第１の誘電領域を間に挟んで第２の数の接地用内部電極の少なくとも１つの接地用内部電極の接地用主電極部と対向する領域を有し、第１の数の信号用内部電極の少なくとも１つの信号用内部電極の信号用主電極部は、コンデンサ素体の一部である第２の誘電領域を間に挟んで他の信号用内部電極の信号用主電極部と対向する領域を有し、第１の数は、第２の数より大きいことを特徴とする。
【０００９】
この貫通型積層コンデンサでは、信号用内部電極の数（第１の数）が接地用内部電極の数（第２の数）より大きい。よって、この貫通型積層コンデンサでは直流抵抗が大きくなることを抑制することが可能となる。また、信号用内部電極の少なくとも１つの信号用内部電極の信号用主電極部が、コンデンサ素体の第２の誘電領域を間に挟んで他の信号用内部電極の信号用主電極部と対向する領域を有している。そのため、この貫通型積層コンデンサでは、信号用内部電極の数（第１の数）を大きくしても、静電容量が大きくなることを抑制することが可能となる。
【００１０】
各接地用内部電極は、第１及び第２の主面の対向方向で見て、コンデンサ素体の第１及び第２の主面が対向する距離の第１の主面から４分の１の距離までの領域内又は第１及び第２の主面が対向する距離の第２の主面から４分の１の距離までの領域内に配置されていることが好ましい。また、各接地用内部電極は、第１及び第２の主面の対向方向で見て、第１の数の信号用内部電極の何れよりも第１の主面側又は第２の主面側に配置されていることが好ましい。
【００１１】
これらの場合、接地用内部電極がコンデンサ素体の外表面に近い位置に配置されるため、バレル研磨を施してコンデンサ素体を製造した場合、接地用内部電極がコンデンサ素体の外表面に引き出されやすくなる。上記貫通型積層コンデンサでは、接地用内部電極の数が信号用内部電極に比べて少ないため、接地用内部電極が容易に且つ確実に接地用端子電極に接続されていることが好ましい。
【００１２】
第１の誘電領域の第１及び第２の主面の対向方向での長さが、第２の誘電領域の第１及び第２の主面の対向方向での長さよりも長いことが好ましい。この場合、信号用内部電極と接地用内部電極との間の距離が、信号用内部電極間の距離よりも長くなるため、接地用内部電極がコンデンサ素体の外側に配置されやすくなる。接地用内部電極がコンデンサ素体の外側に配置されることにより、接地用内部電極が接地用端子電極に容易に且つ確実に接続されやすくなる。
【００１３】
第１及び第２の信号用端子電極はそれぞれ、第１又は第２の側面に配置されており、各信号用内部電極の第１の信号用引き出し電極部は、第１の信号用端子電極が配置された第１又は第２の側面に引き出されるように伸び、各信号用内部電極の第２の信号用引き出し電極部は、第２の信号用端子電極が配置された第１又は第２の側面に引き出されるように伸びていてもよい。この場合、信号の入出力端子である第１及び第２の信号用端子電極に接続される基板上のランドパターンを形成しやすくなる。
【００１４】
各信号用内部電極において、第３及び第４の側面の対向方向での信号用主電極部の幅と第３及び第４の側面の対向方向での第１の信号用引き出し電極部の幅と第３及び第４の側面の対向方向での第２の信号用引き出し電極部の幅とが同じであることが好ましい。この場合、信号用内部電極と信号用端子電極との間の接続をより確実に実現することが可能となる。
【００１５】
各信号用内部電極において、第３及び第４の側面の対向方向での信号用主電極部の幅は、第３及び第４の側面の対向方向での第１の信号用引き出し電極部の幅並びに第３及び第４の側面の対向方向での第２の信号用引き出し電極部の幅の何れよりも広いことが好ましい。この場合、第１及び第２の信号用端子電極の幅を狭くすることができる。その結果、コンデンサ素体の外表面上において、信号用端子電極と接地用端子電極との間で短絡が発生することが抑制される。
【００１６】
第３及び第４の側面の対向方向での信号用主電極部の幅は、第３及び第４の側面の対向方向での接地用主電極部の幅より広いことが好ましい。このように、信号用主電極部の幅を広くすることで、この貫通型積層コンデンサの直流抵抗が大きくなることが抑制される。また、信号用主電極部の幅を広くすることで、この貫通型積層コンデンサでは、信号用主電極部と接地用主電極部との間で形成される静電容量が信号用主電極部ではなく接地用主電極部の大きさによって規定されることとなる。そのため、信号用内部電極及び接地用内部電極が所望の位置からずれて配置された場合であっても、それらの間で形成される静電容量は接地用主電極部の大きさで結局決まるため、所望の値からずれることが抑制される。その結果、貫通型積層コンデンサ間での静電容量のばらつきが抑制される。
【００１７】
接地用端子電極は、第３又は第４の側面に配置されており、接地用内部電極の接地用引き出し電極部は、接地用端子電極が配置された第３又は第４の側面に引き出されるように伸び、第１及び第２の側面の対向方向での接地用引き出し電極部の幅は、第３及び第４の側面の対向方向での第１の信号用引き出し電極部の幅並びに第３及び第４の側面の対向方向での第２の信号用引き出し電極部の幅の何れよりも広いことが好ましい。この場合、等価直列インダクタンス（ＥＳＬ）の値を低減することが可能となる。
【発明の効果】
【００１８】
本発明によれば、静電容量が大きくなることを抑制しつつ、直流抵抗が大きくなることを抑制することが可能な貫通型積層コンデンサを提供することができる。
【図面の簡単な説明】
【００１９】
【図１】第１実施形態に係る貫通型積層コンデンサの斜視図である。
【図２】図１に示した貫通型積層コンデンサのII−II矢印断面図である。
【図３】図１に示した貫通型積層コンデンサのIII−III矢印断面図である。
【図４】第１実施形態に係る貫通型積層コンデンサに含まれるコンデンサ素体の分解斜視図である。
【図５】第１実施形態に係る貫通型積層コンデンサの変形例に含まれるコンデンサ素体の分解斜視図を示す。
【図６】第２実施形態に係る貫通型積層コンデンサのII−II矢印断面図に対応する図である。
【図７】第２実施形態に係る貫通型積層コンデンサのIII−III矢印断面図に対応する図である。
【図８】第２実施形態に係る貫通型積層コンデンサに含まれるコンデンサ素体の分解斜視図である。
【図９】第２実施形態に係る貫通型積層コンデンサの変形例に含まれるコンデンサ素体の分解斜視図を示す。
【図１０】第３実施形態に係る貫通型積層コンデンサのII−II矢印断面図に対応する図である。
【図１１】第３実施形態に係る貫通型積層コンデンサのIII−III矢印断面図に対応する図である。
【図１２】第３実施形態に係る貫通型積層コンデンサに含まれるコンデンサ素体の分解斜視図である。
【図１３】第３実施形態に係る貫通型積層コンデンサの変形例に含まれるコンデンサ素体の分解斜視図を示す。
【図１４】第４実施形態に係る貫通型積層コンデンサの斜視図である。
【図１５】図１４に示した貫通型積層コンデンサのXV−XV矢印断面図に対応する図である。
【図１６】図１４に示した貫通型積層コンデンサのXVI−XVI矢印断面図に対応する図である。
【図１７】第４実施形態に係る貫通型積層コンデンサに含まれるコンデンサ素体の分解斜視図である。
【図１８】第４実施形態に係る貫通型積層コンデンサの変形例に含まれるコンデンサ素体の分解斜視図を示す。
【図１９】第５実施形態に係る貫通型積層コンデンサのXV−XV矢印断面図に対応する図である。
【図２０】第５実施形態に係る貫通型積層コンデンサのXVI−XVI矢印断面図に対応する図である。
【図２１】第５実施形態に係る貫通型積層コンデンサに含まれるコンデンサ素体の分解斜視図である。
【図２２】第５実施形態に係る貫通型積層コンデンサの変形例に含まれるコンデンサ素体の分解斜視図を示す。
【図２３】第６実施形態に係る貫通型積層コンデンサのXV−XV矢印断面図に対応する図である。
【図２４】第６実施形態に係る貫通型積層コンデンサのXVI−XVI矢印断面図に対応する図である。
【図２５】第６実施形態に係る貫通型積層コンデンサに含まれるコンデンサ素体の分解斜視図である。
【図２６】第６実施形態に係る貫通型積層コンデンサの変形例に含まれるコンデンサ素体の分解斜視図を示す。
【図２７】図１に示した貫通型積層コンデンサの変形例の斜視図を示す。
【図２８】図１４に示した貫通型積層コンデンサの変形例の斜視図を示す。
【発明を実施するための形態】
【００２０】
以下、添付図面を参照して、好適な実施形態について詳細に説明する。なお、説明において、同一要素又は同一機能を有する要素には、同一符号を用いることとし、重複する説明は省略する。
（第１実施形態）
【００２１】
図１〜図４に基づいて、第１実施形態に係る貫通型積層コンデンサの構成について説明する。図１は、本実施形態に係る貫通型積層コンデンサの斜視図である。図２は、図１に示した貫通型積層コンデンサのII−II矢印断面図である。図３は、図１に示した貫通型積層コンデンサのIII−III矢印断面図である。図４は、第１実施形態に係る貫通型積層コンデンサに含まれるコンデンサ素体の分解斜視図である。
【００２２】
図１に示すように、貫通型積層コンデンサＣ１は、誘電特性を有するコンデンサ素体Ｌ１と、コンデンサ素体Ｌ１の外表面に配置された第１及び第２の信号用端子電極１、２並びに第１及び第２の接地用端子電極３、４とを備えている。
【００２３】
コンデンサ素体Ｌ１は、図１に示されるように、直方体状であり、その外表面として、相対向する長方形状の第１及び第２の主面Ｌ１ａ、Ｌ１ｂと、第１及び第２の主面間を連結するように第１及び第２の主面の短辺方向に伸びている相対向する第１及び第２の側面Ｌ１ｃ、Ｌ１ｄと、第１及び第２の主面間を連結するように第１及び第２の主面の長辺方向に伸びている相対向する第３及び第４の側面Ｌ１ｅ、Ｌ１ｆとを有する。
【００２４】
第１の信号用端子電極１は、コンデンサ素体Ｌ１の第１の側面Ｌ１ｃに配置されている。第１の信号用端子電極１は、第１の側面Ｌ１ｃ全面を覆うように、第１及び第２の主面Ｌ１ａ、Ｌ１ｂ並びに第３及び第４の側面Ｌ１ｅ、Ｌ１ｆの端部（第１の側面Ｌ１ｃ側の端部）に亘って形成されている。第２の信号用端子電極２は、コンデンサ素体Ｌ１の第２の側面Ｌ１ｄに配置されている。第２の信号用端子電極２は、第２の側面Ｌ１ｄ全面を覆うように、第１及び第２の主面Ｌ１ａ、Ｌ１ｂ並びに第３及び第４の側面Ｌ１ｅ、Ｌ１ｆの端部（第２の側面Ｌ１ｄ側の端部）に亘って形成されている。
【００２５】
第１の信号用端子電極１と第２の信号用端子電極２とは、第１の側面Ｌ１ｃと第２の側面Ｌ１ｄとが対向する方向で対向する。
【００２６】
第１の接地用端子電極３は、コンデンサ素体Ｌ１の第３の側面Ｌ１ｅ上に配置されている。第１の接地用端子電極３は、第３の側面Ｌ１ｅの第１及び第２の側面Ｌ１ｃ、Ｌ１ｄの対向方向の略中央の一部を、第１及び第２の主面Ｌ１ａ、Ｌ１ｂの対向方向に沿って横断するように覆っている。第１の接地用端子電極３はさらに、第１及び第２の主面Ｌ１ａ、Ｌ１ｂの第３の側面Ｌ１ｅ側の端部の一部も覆う。
【００２７】
第２の接地用端子電極４は、コンデンサ素体Ｌ１の第４の側面Ｌ１ｆ上に配置されている。第２の接地用端子電極４は、第４の側面Ｌ１ｆの第１及び第２の側面Ｌ１ｃ、Ｌ１ｄの対向方向の略中央の一部を、第１及び第２の主面Ｌ１ａ、Ｌ１ｂの対向方向に沿って横断するように覆っている。第２の接地用端子電極４はさらに、第１及び第２の主面Ｌ１ａ、Ｌ１ｂの第４の側面Ｌ１ｆ側の端部の一部も覆う。
【００２８】
第１の接地用端子電極３と第２の接地用端子電極４とは、第３の側面Ｌ１ｅと第４の側面Ｌ１ｆとが対向する方向で対向する。
【００２９】
第１及び第２の信号用端子電極１、２並びに第１及び第２の接地用端子電極３、４は、例えば導電性金属粉末及びガラスフリットを含む導電性ペーストをコンデンサ素体の外表面の付与し、焼き付けることによって形成される。必要に応じて、焼き付けられた端子電極の上にめっき層が形成されることもある。これらの第１及び第２の信号用端子電極１、２並びに第１及び第２の接地用端子電極３、４は、コンデンサ素体Ｌ１の表面上においては互いに電気的に絶縁されて形成されている。
【００３０】
貫通型積層コンデンサＣ１では、第１の主面Ｌ１ａ又は第２の主面Ｌ１ｂを、他の部品（例えば、回路基板や電子部品等）に対する実装面として回路基板等に実装することが好ましい。例えば、コンデンサ素体Ｌ１の第２の主面Ｌ１ｂが回路基板と対向するように貫通型積層コンデンサＣ１を実装する場合、第１及び第２の信号用端子電極１，２を基板上に形成され、信号配線に接続されたランド電極に接続し、第３及び第４の接地用端子電極３、４を基板上に形成され、グランド配線に接続されたグランド電極に接続する。
【００３１】
コンデンサ素体Ｌ１は、図２〜図４に示されるように、第１及び第２の主面Ｌ１ａ、Ｌ１ｂの対向方向に積層された複数（本実施形態では、１０層）の誘電体層１０〜１９を有する。各誘電体層１０〜１９は、例えば誘電体セラミック（ＢａＴｉＯ３系、Ｂａ(Ｔｉ，Ｚｒ)Ｏ３系、又は（Ｂａ，Ｃａ）ＴｉＯ３系等の誘電体セラミック）を含むセラミックグリーンシートの焼結体から構成される。なお、実際のコンデンサ素体Ｌ１では、誘電体層１０〜１９の間の境界が視認できない程度に一体化されている。
【００３２】
誘電体層１３〜１６は、図２〜図４に示されているように、誘電体層１０〜１２、１７〜１９に比べて第１及び第２の主面Ｌ１ａ、Ｌ１ｂの対向方向での厚さが厚い。各誘電体層１０〜１９は、１枚のセラミックグリーンシートの焼結体から構成されていても、あるいは複数枚のセラミックグリーンシートの焼結体から構成されていてもよい。したがって、誘電体層１３〜１６は、積層数の点で多いセラミックグリーンシートの焼結体から構成されることで誘電体層１０〜１２、１７〜１９に比べて厚さが厚くなっていてもよく、あるいは厚さの大きい１枚のセラミックグリーンシートの焼結体から構成されることで誘電体層１０〜１２、１７〜１９に比べて厚さが厚くなっていてもよい。
【００３３】
コンデンサ素体Ｌ１には、第１の数（本実施形態では７層）の信号用内部電極３０〜３６及び第２の数（本実施形態では２層）の接地用内部電極２０、２１が配置されている。信号用内部電極３０〜３６の数である第１の数は、接地用内部電極２０、２１の数である第２の数より大きい。
【００３４】
各信号用内部電極３０〜３６は、信号用主電極部３０ａ〜３６ａと、信号用主電極部３０ａ〜３６ａからコンデンサ素体Ｌ１の第１の側面Ｌ１ｃに引き出されるように伸びる第１の信号用引き出し電極部３０ｂ〜３６ｂと、信号用主電極部３０ａ〜３６ａからコンデンサ素体Ｌ１の第２の側面Ｌ１ｄに引き出されるように伸びる第２の信号用引き出し電極部３０ｃ〜３６ｃとを有する。信号用主電極部３０ａ〜３６ａ、第１の信号用引き出し電極部３０ｂ〜３６ｂ、及び第２の信号用引き出し電極部３０ｃ〜３６ｃは、一体的に形成されている。
【００３５】
信号用主電極部３０ａ〜３６ａは、第１及び第２の側面Ｌ１ｃ、Ｌ１ｄの対向方向を長辺方向とし、第３及び第４の側面Ｌ１ｅ、Ｌ１ｆの対向方向を短辺方向とする矩形状を呈する。
【００３６】
第１の信号用引き出し電極部３０ｂ〜３６ｂは、信号用主電極部３０ａ〜３６ａの第１の側面Ｌ１ｃ側の端部ら伸びている。第１の信号用引き出し電極部３０ｂ〜３６ｂは、信号用主電極部３０ａ〜３６ａと第３及び第４の側面Ｌ１ｅ、Ｌ１ｆの対向方向での幅が同じである。第１の信号用引き出し電極部３０ｂ〜３６ｂは、その端が第１の側面Ｌ１ｃに露出し、当該露出した端部で第１の信号用端子電極１に接続される。
【００３７】
第２の信号用引き出し電極部３０ｃ〜３６ｃは、信号用主電極部３０ａ〜３６ａの第２の側面Ｌ１ｄ側の端部ら伸びている。第２の信号用引き出し電極部３０ｃ〜３６ｃは、信号用主電極部３０ａ〜３６ａと第３及び第４の側面Ｌ１ｅ、Ｌ１ｆの対向方向での幅が同じである。第２の信号用引き出し電極部３０ｃ〜３６ｃは、その端が第２の側面Ｌ１ｄに露出し、当該露出した端部で第２の信号用端子電極２に接続される。
【００３８】
第１の信号用端子電極１は、第１の信号用引き出し電極部３０ｂ〜３６ｂの第１の側面Ｌ１ｃに露出した部分をすべて覆うように形成されており、第１の信号用引き出し電極部３０ｂ〜３６ｂは、第１の信号用端子電極１に物理的且つ電気的に接続される。これにより、信号用内部電極３０〜３６は、第１の信号用端子電極１に接続されることとなる。
【００３９】
第２の信号用端子電極２は、第２の信号用引き出し電極部３０ｃ〜３６ｃの第２の側面Ｌ１ｄに露出した部分をすべて覆うように形成されており、第２の信号用引き出し電極部３０ｃ〜３６ｃは、第２の信号用端子電極２に物理的且つ電気的に接続される。これにより、信号用内部電極３０〜３６は、第２の信号用端子電極２に接続されることとなる。
【００４０】
各接地用内部電極２０、２１は、接地用主電極部２０ａ、２１ａと、接地用主電極部２０ａ、２１ａからコンデンサ素体Ｌ１の第３の側面Ｌ１ｅに引き出されるように伸びる第１の接地用引き出し電極部２０ｂ、２１ｂと、接地用主電極部２０ａ、２１ａからコンデンサ素体Ｌ１の第４の側面Ｌ１ｆに引き出されるように伸びる第２の接地用引き出し電極部２０ｃ、２１ｃとを有する。接地用主電極部２０ａ、２１ａ、第１の接地用引き出し電極部２０ｂ、２１ｂ、及び第２の接地用引き出し電極部２０ｃ、２１ｃは、一体的に形成されている。
【００４１】
接地用主電極部２０ａ、２１ａは、第１及び第２の側面Ｌ１ｃ、Ｌ１ｄの対向方向を長辺方向とし、第３及び第４の側面Ｌ１ｅ、Ｌ１ｆの対向方向を短辺方向とする矩形状を呈する。
【００４２】
第１の接地用引き出し電極部２０ｂ、２１ｂは、接地用主電極部２０ａ、２１ａの第３の側面Ｌ１ｅ側の端部である長辺の略中央から伸びている。第１の接地用引き出し電極部２０ｂ、２１ｂは、接地用主電極部２０ａ、２１ａに比べて第１及び第２の側面Ｌ１ｃ、Ｌ１ｄの対向方向での幅が小さい。第１の接地用引き出し電極部２０ｂ、２１ｂは、その端が第３の側面Ｌ１ｅに露出し、当該露出した端部で第１の接地用端子電極３に接続される。
【００４３】
第２の接地用引き出し電極部２０ｃ、２１ｃは、接地用主電極部２０ａ、２１ａの第４の側面Ｌ１ｆ側の端部である長辺の略中央から伸びている。第２の接地用引き出し電極部２０ｃ、２１ｃは、接地用主電極部２０ａ、２１ａに比べて第１及び第２の側面Ｌ１ｃ、Ｌ１ｄの対向方向での幅が小さい。第２の接地用引き出し電極部２０ｃ、２１ｃは、その端が第４の側面Ｌ１ｆに露出し、当該露出した端部で第２の接地用端子電極４に接続される。
【００４４】
第１の接地用端子電極３は、第１の接地用引き出し電極部２０ｂ、２１ｂの第３の側面Ｌ１ｅに露出した部分をすべて覆うように形成されており、第１の接地用引き出し電極部２０ｂ、２１ｂは、第１の接地用端子電極３に物理的且つ電気的に接続される。これにより、接地用内部電極２０、２１は、第１の接地用端子電極３に接続されることとなる。
【００４５】
第２の接地用端子電極４は、第２の接地用引き出し電極部２０ｃ、２１ｃの第４の側面Ｌ１ｆに露出した部分をすべて覆うように形成されており、第２の接地用引き出し電極部２０ｃ、２１ｃは、第２の接地用端子電極４に物理的且つ電気的に接続される。これにより、接地用内部電極２０、２１は、第２の接地用端子電極４に接続されることとなる。
【００４６】
本実施形態では、信号用内部電極３０〜３６及び接地用内部電極２０，２１は、第１及び第２の主面Ｌ１ａ、Ｌ１ｂの対向方向に沿って、信号用内部電極３３が略中央に位置し、接地用内部電極２０、２１がその両隣に位置し、接地用内部電極２０から第１の主面Ｌ１ａに向かって信号用内部電極３２、３１、３０が配置され、接地用内部電極２１から第２の主面Ｌ１ｂに向かって信号用内部電極３４、３５、３６が配置されている。
【００４７】
信号用内部電極３２の信号用主電極部３２ａは、コンデンサ素体Ｌ１の一部である誘電体層１３（第１の誘電領域）を間に挟んで、接地用内部電極２０の接地用主電極部２０ａと誘電体層１０〜１９の積層方向（第１及び第２の主面Ｌ１ａ、Ｌ１ｂの対向方向）に互いに対向する領域を含んでいる。すなわち、信号用内部電極３２と、接地用内部電極２０とは、第１及び第２の主面Ｌ１ａ、Ｌ１ｂの対向方向から見て互いに重なる領域を有している。したがって、誘電体層１３のうち、信号用内部電極３２の信号用主電極部３２ａと接地用内部電極２０の接地用主電極部２０ａとに重なる部分は、静電容量成分を実質的に生じさせる領域である。
【００４８】
信号用内部電極３３の信号用主電極部３３ａは、コンデンサ素体Ｌ１の一部である誘電体層１４（第１の誘電領域）を間に挟んで、接地用内部電極２０の接地用主電極部２０ａと誘電体層１０〜１９の積層方向に互いに対向する領域を含んでいる。すなわち、信号用内部電極３３と、接地用内部電極２０とは、第１及び第２の主面Ｌ１ａ、Ｌ１ｂの対向方向から見て互いに重なる領域を有している。したがって、誘電体層１４のうち、信号用内部電極３３の信号用主電極部３３ａと接地用内部電極２０の接地用主電極部２０ａとに重なる部分は、静電容量成分を実質的に生じさせる領域である。
【００４９】
信号用内部電極３３の信号用主電極部３３ａは、コンデンサ素体Ｌ１の一部である誘電体層１５（第１の誘電領域）を間に挟んで、接地用内部電極２１の接地用主電極部２１ａと誘電体層１０〜１９の積層方向に互いに対向する領域を含んでいる。すなわち、信号用内部電極３３と、接地用内部電極２１とは、第１及び第２の主面Ｌ１ａ、Ｌ１ｂの対向方向から見て互いに重なる領域を有している。したがって、誘電体層１５のうち、信号用内部電極３３の信号用主電極部３３ａと接地用内部電極２１の接地用主電極部２１ａとに重なる部分は、静電容量成分を実質的に生じさせる領域である。
【００５０】
信号用内部電極３４の信号用主電極部３４ａは、コンデンサ素体Ｌ１の一部である誘電体層１６（第１の誘電領域）を間に挟んで、接地用内部電極２１の接地用主電極部２１ａと誘電体層１０〜１９の積層方向に互いに対向する領域を含んでいる。すなわち、信号用内部電極３４と、接地用内部電極２１とは、第１及び第２の主面Ｌ１ａ、Ｌ１ｂの対向方向から見て互いに重なる領域を有している。したがって、誘電体層１６のうち、信号用内部電極３４の信号用主電極部３４ａと接地用内部電極２１の接地用主電極部２１ａとに重なる部分は、静電容量成分を実質的に生じさせる領域である。
【００５１】
信号用内部電極３０の信号用主電極部３０ａは、コンデンサ素体Ｌ１の一部である誘電体層１１（第２の誘電領域）を間に挟んで信号用内部電極３１の信号用主電極部３１ａと互いに対向する領域を含んでいる。すなわち、信号用内部電極３０、３１は、第１及び第２の主面Ｌ１ａ、Ｌ１ｂの対向方向から見て互いに重なる領域を有している。
【００５２】
信号用内部電極３１の信号用主電極部３１ａは、コンデンサ素体Ｌ１の一部である誘電体層１２（第２の誘電領域）を間に挟んで信号用内部電極３２の信号用主電極部３２ａと互いに対向する領域を含んでいる。すなわち、信号用内部電極３１、３２は、第１及び第２の主面Ｌ１ａ、Ｌ１ｂの対向方向から見て互いに重なる領域を有している。
【００５３】
信号用内部電極３４の信号用主電極部３４ａは、コンデンサ素体Ｌ１の一部である誘電体層１７（第２の誘電領域）を間に挟んで信号用内部電極３５の信号用主電極部３５ａと互いに対向する領域を含んでいる。すなわち、信号用内部電極３４、３５は、第１及び第２の主面Ｌ１ａ、Ｌ１ｂの対向方向から見て互いに重なる領域を有している。
【００５４】
信号用内部電極３５の信号用主電極部３５ａは、コンデンサ素体Ｌ１の一部である誘電体層１８（第２の誘電領域）を間に挟んで信号用内部電極３６の信号用主電極部３６ａと互いに対向する領域を含んでいる。すなわち、信号用内部電極３５、３６は、第１及び第２の主面Ｌ１ａ、Ｌ１ｂの対向方向から見て互いに重なる領域を有している。
【００５５】
図２及び図３から明らかなように、信号用内部電極と接地用内部電極との間に位置するコンデンサ素体の一部である第１の誘電領域、すなわち誘電体層１３〜１６の第１及び第２の主面Ｌ１ａ、Ｌ１ｂの対向方向での長さが、信号用内部電極同士の間に位置するコンデンサ素体の一部である第２の誘電領域、すなわち誘電体層１１、１２、１７、１８の第１及び第２の主面Ｌ１ａ、Ｌ１ｂの対向方向での長さよりも長い。
【００５６】
図４に示すように、第３及び第４の側面Ｌ１ｅ、Ｌ１ｆの対向方向での接地用主電極部２０ａ、２１ａの幅をｄ１とし、第３及び第４の側面Ｌ１ｅ、Ｌ１ｆの対向方向での信号用主電極部３０ａ〜３６ａの幅をｄ２とすると、本実施形態ではｄ１とｄ２は略同じである。
【００５７】
貫通型積層コンデンサＣ１では、信号用内部電極３０〜３６の数（第１の数）が７層であり、接地用内部電極２０、２１の数（第２の数）が２層である。すなわち、第１の数の方が第２の数より大きい。よって、貫通型積層コンデンサＣ１では、直流抵抗が大きくなることを抑制することが可能となる。
【００５８】
また、貫通型積層コンデンサＣ１では、数が多い信号用内部電極３０〜３６は、その一部である信号用内部電極３０、３１、３５、３６の信号用主電極部３０ａ、３１ａ、３５ａ、３６ａが、コンデンサ素体Ｌ１の第２の誘電領域である誘電体層１１、１２、１７、１８を間に挟んでと対向する領域を有している。そのため、貫通型積層コンデンサＣ１では、直流抵抗が大きくなることを抑制すべく信号用内部電極の数を大きくしても、静電容量が大きくなってしまうことを抑制することが可能となる。
【００５９】
一般的な貫通型コンデンサでは、信号用内部電極及び接地用内部電極の何れか一方のみの数を多くし、さらに同種の内部電極同士を対向させるような配置は、静電容量の形成に寄与しないため行わない。本実施形態に係る貫通型積層コンデンサＣ１では、通常の貫通型積層コンデンサでは採用しない上述のような配置をあえて採ることによって、静電容量が大きくなることを抑制しつつ、直流抵抗が大きくなることを抑制することを可能にしている。
【００６０】
貫通型積層コンデンサＣ１では、誘電体層１３〜１６の第１及び第２の主面Ｌ１ａ、Ｌ１ｂの対向方向での厚さ（長さ）が、誘電体層１１、１２、１７、１８の第１及び第２の主面Ｌ１ａ、Ｌ１ｂの対向方向での厚さ（長さ）よりも厚い（長い）。そのため、信号用内部電極３２〜３４と接地用内部電極２０、２１との間の距離が、信号用内部電極３０〜３２、３４〜３６間の距離よりも長くなるため、接地用内部電極２０、２１がコンデンサ素体Ｌ１の外側に配置されやすくなる。
【００６１】
コンデンサ素体Ｌ１は、一般に、焼結後、端子電極を外表面に形成する前にバレル研磨を行う。バレル研磨では、コンデンサ素体Ｌ１の外側ほど研磨が進み、側面に引き出されるように伸びた引き出し電極部もより一層外表面に露出しやすくなる。そのため、接地用内部電極２０、２１がコンデンサ素体Ｌ１の外側に配置されることにより、接地用内部電極２０、２１は第１及び第２の接地用端子電極３、４に容易に且つ確実に接続されやすくなる。
【００６２】
貫通型積層コンデンサＣ１では、信号用内部電極３０〜３６において、第３及び第４の側面Ｌ１ｅ、Ｌ１ｆの対向方向での信号用主電極部３０ａ〜３６ａの幅と第３及び第４の側面Ｌ１ｅ、Ｌ１ｆの対向方向での第１の信号用引き出し電極部３０ｂ〜３６ｂの幅と第３及び第４の側面Ｌ１ｅ、Ｌ１ｆの対向方向での第２の信号用引き出し電極部３０ｃ〜３６ｃの幅とが同じである。そのため、信号用内部電極３０〜３６と第１及び第２の信号用端子電極１、２との間の接続をより確実に実現することが可能となる。
このように、本実施形態に係る貫通型積層コンデンサＣ１は、相対向する長方形状の第１及び第２の主面と、前記第１及び第２の主面間を連結するように伸びている相対向する第１及び第２の側面と、前記第１及び第２の主面間を連結するように伸びている相対向する第３及び第４の側面とをその外表面として有し、且つ誘電特性を有するコンデンサ素体と、複数の信号用内部電極を有し、前記コンデンサ素体内に配置された信号用内部電極群と、前記コンデンサ素体内に配置された接地用内部電極と、前記コンデンサ素体の前記外表面に配置された第１及び第２の信号用端子電極並びに接地用端子電極と、を備えており、前記信号用内部電極群と前記接地用内部電極とは、前記第１及び第２の主面の対向方向に沿って並置されており、前記各信号用内部電極は、信号用主電極部と、前記信号用主電極部から前記コンデンサ素体の前記外表面に引き出されるように伸びて前記第１の信号用端子電極に接続される第１の信号用引き出し電極部と、前記信号用主電極部から前記コンデンサ素体の前記外表面に引き出されるように伸びて前記第２の信号用端子電極に接続される第２の信号用引き出し電極部とを有し、前記接地用内部電極は、接地用主電極部と、前記接地用主電極部から前記コンデンサ素体の前記外表面に引き出されるように伸びて前記接地用端子電極に接続される接地用引き出し電極部とを有し、前記複数の信号用内部電極の少なくとも１つの信号用内部電極の信号用主電極部は、前記コンデンサ素体の一部を間に挟んで前記接地用内部電極の前記接地用主電極部と対向する領域を有することを特徴とする。
【００６３】
ここで、図５に、本実施形態に係る貫通型積層コンデンサの変形例に含まれるコンデンサ素体の分解斜視図を示す。図５に示すように、第３及び第４の側面Ｌ１ｅ、Ｌ１ｆの対向方向での信号用主電極部３０ａ〜３６ａの幅ｄ２は、第３及び第４の側面Ｌ１ｅ、Ｌ１ｆの対向方向での接地用主電極部２０、２１の幅ｄ１より広くてもよい。
【００６４】
このように、信号用主電極部３０ａ〜３６ａの幅を接地用主電極部２０ａ、２１ａに比べて広くすることで、第１実施形態の変形例に係る貫通型積層コンデンサの直流抵抗が大きくなることがさらに抑制される。
【００６５】
また、信号用主電極部３０ａ〜３６ａの幅を広くすることで、貫通型積層コンデンサＣ１の変形例では、信号用主電極部３２ａ〜３４ａと接地用主電極部２０ａ、２１ａとの間で形成される静電容量が信号用主電極部３２ａ〜３４ａではなく接地用主電極部２０ａ、２１ａの大きさによって規定されることとなる。そのため、信号用内部電極３２〜３４及び接地用内部電極２０、２１が所望の位置からずれて配置された場合であっても、それらの間で形成される静電容量は接地用主電極部２０ａ、２１ａの大きさで結局決まるため、所望の値からずれることが抑制される。すなわち、信号用内部電極３２〜３４及び接地用内部電極２０、２１の間で積層ずれが起きた場合であっても、これらの間で形成される静電容量に与える影響を抑制することが可能となる。その結果、第１実施形態の変形例に係る貫通型積層コンデンサの静電容量のばらつきが抑制される。
（第２実施形態）
【００６６】
図６〜図８に基づいて、第２実施形態に係る貫通型積層コンデンサの構成について説明する。図６は、図１に示した第１実施形態に係る貫通型積層コンデンサのII−II矢印断面図に相当する、第２実施形態に係る貫通型積層コンデンサの断面図である。図７は、図１に示した第１実施形態に係る貫通型積層コンデンサのIII−III矢印断面図に相当する、第２実施形態に係る貫通型積層コンデンサの断面図である。図８は、第２実施形態に係る貫通型積層コンデンサに含まれるコンデンサ素体の分解斜視図である。
【００６７】
第２実施形態に係る貫通型積層コンデンサＣ２は、コンデンサ素体Ｌ１内での接地用内部電極２０、２１の配置の点で第１実施形態に係る貫通型積層コンデンサＣ１と相違する。
【００６８】
第２実施形態に係る貫通型積層コンデンサＣ２は、コンデンサ素体Ｌ１と、コンデンサ素体Ｌ１の外表面に配置された第１及び第２の信号用端子電極１、２並びに第１及び第２の接地用端子電極３、４とを備えている。第１及び第２の信号用端子電極１、２並びに第１及び第２の接地用端子電極３、４は、図１に示した第１実施形態に係る貫通型積層コンデンサＣ１と同じ配置でコンデンサ素体Ｌ１の外表面上に配置される。
【００６９】
貫通型積層コンデンサＣ２では、第１の主面Ｌ１ａ又は第２の主面Ｌ１ｂを、他の部品（例えば、回路基板や電子部品等）に対する実装面として回路基板等に実装することが好ましい。
【００７０】
コンデンサ素体Ｌ１は、図６〜図８に示されるように、第１及び第２の主面Ｌ１ａ、Ｌ１ｂの対向方向に積層された複数（本実施形態では、１０層）の誘電体層１０〜１９を有する。
【００７１】
誘電体層１１、１２、１７、１８は、図６〜図８に示されているように、誘電体層１０、１３〜１６、１９に比べて第１及び第２の主面Ｌ１ａ、Ｌ１ｂの対向方向での厚さが厚い。各誘電体層１０〜１９は、１枚のセラミックグリーンシートの焼結体から構成されていても、あるいは複数枚のセラミックグリーンシートの焼結体から構成されていてもよい。
【００７２】
貫通型積層コンデンサＣ２のコンデンサ素体Ｌ１には、第１の数（本実施形態では７層）の信号用内部電極３０〜３６及び第２の数（本実施形態では２層）の接地用内部電極２０、２１が配置されている。信号用内部電極３０〜３６の数である第１の数は、接地用内部電極２０、２１の数である第２の数より大きい。
【００７３】
本実施形態では、信号用内部電極３０〜３６及び接地用内部電極２０，２１は、第１及び第２の主面Ｌ１ａ、Ｌ１ｂの対向方向に沿って、略中央に位置する信号用内部電極３３から第１の主面Ｌ１ａに向かって、２層の信号用内部電極３２、３１、接地用内部電極２０、信号用内部電極３０がこの順で配置されており、また信号用内部電極３３から第２の主面Ｌ１ｂに向かって、２層の信号用内部電極３４、３５、接地用内部電極２１、信号用内部電極３６がこの順で配置されている。
【００７４】
貫通型積層コンデンサＣ２では、接地用内部電極２０は、第１及び第２の主面Ｌ１ａ、Ｌ１ｂの対向方向で見て、コンデンサ素体Ｌ１の第１及び第２の主面Ｌ１ａ、Ｌ１ｂが対向する距離ｈ１の第１の主面Ｌ１ａから４分の１の距離までの領域内に配置されている。すなわち、第１及び第２の主面Ｌ１ａ、Ｌ１ｂの対向方向で見て、第１の主面Ｌ１ａと接地用内部電極２０との間の距離ｈ２は、コンデンサ素体Ｌ１の第１及び第２の主面Ｌ１ａ、Ｌ１ｂが対向する距離ｈ１の４分の１より小さい。
【００７５】
貫通型積層コンデンサＣ２では、接地用内部電極２１は、第１及び第２の主面Ｌ１ａ、Ｌ１ｂの対向方向で見て、コンデンサ素体Ｌ１の第１及び第２の主面Ｌ１ａ、Ｌ１ｂが対向する距離ｈ１の第２の主面Ｌ１ｂから４分の１の距離までの領域内に配置されている。すなわち、第１及び第２の主面Ｌ１ａ、Ｌ１ｂの対向方向で見て、第２の主面Ｌ１ｂと接地用内部電極２１との間の距離ｈ３は、コンデンサ素体Ｌ１の第１及び第２の主面Ｌ１ａ、Ｌ１ｂが対向する距離ｈ１の４分の１より小さい。
【００７６】
このように、貫通型積層コンデンサＣ２では、接地用内部電極２０、２１がコンデンサ素体Ｌ１の外表面に近い位置に配置されている。
【００７７】
信号用内部電極３０の信号用主電極部３０ａは、コンデンサ素体Ｌ１の一部である誘電体層１１（第１の誘電領域）を間に挟んで、接地用内部電極２０の接地用主電極部２０ａと誘電体層１０〜１９の積層方向（第１及び第２の主面Ｌ１ａ、Ｌ１ｂの対向方向）に互いに対向する領域を含んでいる。すなわち、信号用内部電極３０と、接地用内部電極２０とは、第１及び第２の主面Ｌ１ａ、Ｌ１ｂの対向方向から見て互いに重なる領域を有している。したがって、誘電体層１１のうち、信号用内部電極３０の信号用主電極部３０ａと接地用内部電極２０の接地用主電極部２０ａとに重なる部分は、静電容量成分を実質的に生じさせる領域である。
【００７８】
信号用内部電極３１の信号用主電極部３１ａは、コンデンサ素体Ｌ１の一部である誘電体層１２（第１の誘電領域）を間に挟んで、接地用内部電極２０の接地用主電極部２０ａと誘電体層１０〜１９の積層方向に互いに対向する領域を含んでいる。すなわち、信号用内部電極３１と、接地用内部電極２０とは、第１及び第２の主面Ｌ１ａ、Ｌ１ｂの対向方向から見て互いに重なる領域を有している。したがって、誘電体層１２のうち、信号用内部電極３１の信号用主電極部３１ａと接地用内部電極２０の接地用主電極部２０ａとに重なる部分は、静電容量成分を実質的に生じさせる領域である。
【００７９】
信号用内部電極３５の信号用主電極部３５ａは、コンデンサ素体Ｌ１の一部である誘電体層１７（第１の誘電領域）を間に挟んで、接地用内部電極２１の接地用主電極部２１ａと誘電体層１０〜１９の積層方向に互いに対向する領域を含んでいる。すなわち、信号用内部電極３５と、接地用内部電極２１とは、第１及び第２の主面Ｌ１ａ、Ｌ１ｂの対向方向から見て互いに重なる領域を有している。したがって、誘電体層１７のうち、信号用内部電極３５の信号用主電極部３５ａと接地用内部電極２１の接地用主電極部２１ａとに重なる部分は、静電容量成分を実質的に生じさせる領域である。
【００８０】
信号用内部電極３６の信号用主電極部３６ａは、コンデンサ素体Ｌ１の一部である誘電体層１８（第１の誘電領域）を間に挟んで、接地用内部電極２１の接地用主電極部２１ａと誘電体層１０〜１９の積層方向に互いに対向する領域を含んでいる。すなわち、信号用内部電極３６と、接地用内部電極２１とは、第１及び第２の主面Ｌ１ａ、Ｌ１ｂの対向方向から見て互いに重なる領域を有している。したがって、誘電体層１８のうち、信号用内部電極３６の信号用主電極部３６ａと接地用内部電極２１の接地用主電極部２１ａとに重なる部分は、静電容量成分を実質的に生じさせる領域である。
【００８１】
信号用内部電極３１の信号用主電極部３１ａは、コンデンサ素体Ｌ１の一部である誘電体層１３（第２の誘電領域）を間に挟んで信号用内部電極３２の信号用主電極部３２ａと互いに対向する領域を含んでいる。すなわち、信号用内部電極３１、３２は、第１及び第２の主面Ｌ１ａ、Ｌ１ｂの対向方向から見て互いに重なる領域を有している。
【００８２】
信号用内部電極３２の信号用主電極部３２ａは、コンデンサ素体Ｌ１の一部である誘電体層１４（第２の誘電領域）を間に挟んで信号用内部電極３３の信号用主電極部３３ａと互いに対向する領域を含んでいる。すなわち、信号用内部電極３２、３３は、第１及び第２の主面Ｌ１ａ、Ｌ１ｂの対向方向から見て互いに重なる領域を有している。
【００８３】
信号用内部電極３３の信号用主電極部３３ａは、コンデンサ素体Ｌ１の一部である誘電体層１５（第２の誘電領域）を間に挟んで信号用内部電極３４の信号用主電極部３５ａと互いに対向する領域を含んでいる。すなわち、信号用内部電極３３、３４は、第１及び第２の主面Ｌ１ａ、Ｌ１ｂの対向方向から見て互いに重なる領域を有している。
【００８４】
信号用内部電極３４の信号用主電極部３４ａは、コンデンサ素体Ｌ１の一部である誘電体層１６（第２の誘電領域）を間に挟んで信号用内部電極３５の信号用主電極部３５ａと互いに対向する領域を含んでいる。すなわち、信号用内部電極３４、３５は、第１及び第２の主面Ｌ１ａ、Ｌ１ｂの対向方向から見て互いに重なる領域を有している。
【００８５】
図６及び図７から明らかなように、信号用内部電極と接地用内部電極との間に位置するコンデンサ素体の一部である第１の誘電領域、すなわち誘電体層１１、１２、１７、１８の第１及び第２の主面Ｌ１ａ、Ｌ１ｂの対向方向での長さが、信号用内部電極同士の間に位置するコンデンサ素体の一部である第２の誘電領域、すなわち誘電体層１３〜１６の第１及び第２の主面Ｌ１ａ、Ｌ１ｂの対向方向での長さよりも長い。
【００８６】
図８に示すように、第３及び第４の側面Ｌ１ｅ、Ｌ１ｆの対向方向での接地用主電極部２０ａ、２１ａの幅をｄ１とし、第３及び第４の側面Ｌ１ｅ、Ｌ１ｆの対向方向での信号用主電極部３０ａ〜３６ａの幅をｄ２とすると、本実施形態ではｄ１とｄ２は略同じである。
【００８７】
貫通型積層コンデンサＣ２では、信号用内部電極３０〜３６の数（第１の数）が７層であり、接地用内部電極２０、２１の数（第２の数）が２層である。すなわち、第１の数の方が第２の数より大きい。よって、貫通型積層コンデンサＣ２では、直流抵抗が大きくなることを抑制することが可能となる。
【００８８】
また、貫通型積層コンデンサＣ２では、数が多い信号用内部電極３０〜３６の一部である信号用内部電極３１〜３５の信号用主電極部３１ａ〜３５ａが、誘電体層１３〜１６を間に挟んでと対向する領域を有している。そのため、貫通型積層コンデンサＣ２では、直流抵抗が大きくなることを抑制すべく信号用内部電極の数を大きくしても、静電容量が大きくなってしまうことを抑制することが可能となる。したがって、貫通型積層コンデンサＣ２では、静電容量が大きくなることを抑制しつつ、直流抵抗が大きくなることを抑制することが可能である。
【００８９】
貫通型積層コンデンサＣ２では、接地用内部電極２０、２１がコンデンサ素体Ｌ１の外表面に近い位置に配置されている。そのため、例えば焼結後にバレル研磨を施して製造したコンデンサ素体Ｌ１では、接地用内部電極２０、２１がコンデンサ素体Ｌ１の外表面に引き出されやすくなる。そのため、接地用内部電極２０、２１は、容易に且つ確実に第１及び第２の接地用端子電極３、４に接続されてやすくなる。
【００９０】
貫通型積層コンデンサＣ２では、接地用内部電極２０、２１の数が信号用内部電極３０〜３６に比べて少ない。そのため、特に接地用内部電極２０、２１が容易に且つ確実に接地用端子電極３，４に接続されていることが好ましい。
【００９１】
貫通型積層コンデンサＣ２では、誘電体層１１、１２、１７、１８の第１及び第２の主面Ｌ１ａ、Ｌ１ｂの対向方向での厚さ（長さ）が、誘電体層１３〜１６の第１及び第２の主面Ｌ１ａ、Ｌ１ｂの対向方向での厚さ（長さ）よりも厚い（長い）。そのため、信号用内部電極３０、３１、３５、３６と接地用内部電極２０、２１との間の距離が、信号用内部電極３１〜３５間の距離よりも長くなるため、接地用内部電極２０、２１がコンデンサ素体Ｌ１の外側に配置されやすくなる。その結果、接地用内部電極２０、２１は、容易に且つ確実に第１及び第２の接地用端子電極３、４に接続されてやすくなる。
【００９２】
貫通型積層コンデンサＣ２では、信号用内部電極３０〜３６において、第３及び第４の側面Ｌ１ｅ、Ｌ１ｆの対向方向での信号用主電極部３０ａ〜３６ａの幅と第３及び第４の側面Ｌ１ｅ、Ｌ１ｆの対向方向での第１及び第２の信号用引き出し電極部３０ｂ〜３６ｂ、３０ｃ〜３６ｃの幅とが同じである。そのため、信号用内部電極３０〜３６と第１及び第２の信号用端子電極１、２との間の接続をより確実に実現することが可能となる。
【００９３】
ここで、図９に、本実施形態に係る貫通型積層コンデンサの変形例に含まれるコンデンサ素体の分解斜視図を示す。図９に示すように、第３及び第４の側面Ｌ１ｅ、Ｌ１ｆの対向方向での信号用主電極部３０ａ〜３６ａの幅ｄ２は、第３及び第４の側面Ｌ１ｅ、Ｌ１ｆの対向方向での接地用主電極部２０、２１の幅ｄ１より広くてもよい。
【００９４】
このように、信号用主電極部３０ａ〜３６ａの幅を接地用主電極部２０ａ、２１ａに比べて広くすることで、第２実施形態の変形例に係る貫通型積層コンデンサの直流抵抗が大きくなることがさらに抑制される。
【００９５】
また、信号用主電極部３０ａ〜３６ａの幅を広くすることで、信号用内部電極３０、３１、３５、３６及び接地用内部電極２０、２１の間で積層ずれが起きた場合であっても、これらの間で形成される静電容量に与える影響を抑制することが可能となる。
（第３実施形態）
【００９６】
図１０〜図１２に基づいて、第３実施形態に係る貫通型積層コンデンサの構成について説明する。図１０は、図１に示した第１実施形態に係る貫通型積層コンデンサのII−II矢印断面図に相当する、第３実施形態に係る貫通型積層コンデンサの断面図である。図１１は、図１に示した第１実施形態に係る貫通型積層コンデンサのIII−III矢印断面図に相当する、第３実施形態に係る貫通型積層コンデンサの断面図である。図１２は、第３実施形態に係る貫通型積層コンデンサに含まれるコンデンサ素体の分解斜視図である。
【００９７】
第３実施形態に係る貫通型積層コンデンサＣ３は、コンデンサ素体Ｌ１内での接地用内部電極２０、２１の配置の点で第１実施形態に係る貫通型積層コンデンサＣ１と相違する。
【００９８】
第３実施形態に係る貫通型積層コンデンサＣ３は、コンデンサ素体Ｌ１と、コンデンサ素体Ｌ１の外表面に配置された第１及び第２の信号用端子電極１、２並びに第１及び第２の接地用端子電極３、４とを備えている。第１及び第２の信号用端子電極１、２並びに第１及び第２の接地用端子電極３、４は、図１に示した第１実施形態に係る貫通型積層コンデンサＣ１と同じ配置でコンデンサ素体Ｌ１の外表面上に配置される。
【００９９】
貫通型積層コンデンサＣ３では、第１の主面Ｌ１ａ又は第２の主面Ｌ１ｂを、他の部品（例えば、回路基板や電子部品等）に対する実装面として回路基板等に実装することが好ましい。
【０１００】
コンデンサ素体Ｌ１は、図１０〜図１２に示されるように、第１及び第２の主面Ｌ１ａ、Ｌ１ｂの対向方向に積層された複数（本実施形態では、１０層）の誘電体層１０〜１９を有する。
【０１０１】
誘電体層１０、１１、１８、１９は、図１０〜図１２に示されているように、誘電体層１２〜１７に比べて第１及び第２の主面Ｌ１ａ、Ｌ１ｂの対向方向での厚さが厚い。各誘電体層１０〜１９は、１枚のセラミックグリーンシートの焼結体から構成されていても、あるいは複数枚のセラミックグリーンシートの焼結体から構成されていてもよい。
【０１０２】
貫通型積層コンデンサＣ３のコンデンサ素体Ｌ１には、第１の数（本実施形態では７層）の信号用内部電極３０〜３６及び第２の数（本実施形態では２層）の接地用内部電極２０、２１が配置されている。信号用内部電極３０〜３６の数である第１の数は、接地用内部電極２０、２１の数である第２の数より大きい。
【０１０３】
本実施形態では、信号用内部電極３０〜３６及び接地用内部電極２０，２１は、第１及び第２の主面Ｌ１ａ、Ｌ１ｂの対向方向に沿って、略中央に位置する信号用内部電極３３から第１の主面Ｌ１ａに向かって、３層の信号用内部電極３２、３１、３０、接地用内部電極２０がこの順で配置されており、また信号用内部電極３３から第２の主面Ｌ１ｂに向かって、３層の信号用内部電極３４、３５、３６、接地用内部電極２１がこの順で配置されている。
【０１０４】
貫通型積層コンデンサＣ３では、接地用内部電極２０は、第１及び第２の主面Ｌ１ａ、Ｌ１ｂの対向方向で見て、第１の数の信号用内部電極３０〜３６の何れよりも第１の主面Ｌ１ａ側に配置されている。接地用内部電極２１は、第１及び第２の主面Ｌ１ａ、Ｌ１ｂの対向方向で見て、第１の数の信号用内部電極３０〜３６の何れよりも第２の主面Ｌ１ｂ側に配置されている。このように、貫通型積層コンデンサＣ３では、接地用内部電極２０、２１がコンデンサ素体Ｌ１の外表面に近い位置に配置されている。
【０１０５】
信号用内部電極３０の信号用主電極部３０ａは、コンデンサ素体Ｌ１の一部である誘電体層１１（第１の誘電領域）を間に挟んで、接地用内部電極２０の接地用主電極部２０ａと誘電体層１０〜１９の積層方向（第１及び第２の主面Ｌ１ａ、Ｌ１ｂの対向方向）に互いに対向する領域を含んでいる。すなわち、信号用内部電極３０と、接地用内部電極２０とは、第１及び第２の主面Ｌ１ａ、Ｌ１ｂの対向方向から見て互いに重なる領域を有している。したがって、誘電体層１１のうち、信号用内部電極３０の信号用主電極部３０ａと接地用内部電極２０の接地用主電極部２０ａとに重なる部分は、静電容量成分を実質的に生じさせる領域である。
【０１０６】
信号用内部電極３６の信号用主電極部３６ａは、コンデンサ素体Ｌ１の一部である誘電体層１８（第１の誘電領域）を間に挟んで、接地用内部電極２１の接地用主電極部２１ａと誘電体層１０〜１９の積層方向に互いに対向する領域を含んでいる。すなわち、信号用内部電極３６と、接地用内部電極２１とは、第１及び第２の主面Ｌ１ａ、Ｌ１ｂの対向方向から見て互いに重なる領域を有している。したがって、誘電体層１８のうち、信号用内部電極３６の信号用主電極部３６ａと接地用内部電極２１の接地用主電極部２１ａとに重なる部分は、静電容量成分を実質的に生じさせる領域である。
【０１０７】
信号用内部電極３０の信号用主電極部３０ａは、コンデンサ素体Ｌ１の一部である誘電体層１２（第２の誘電領域）を間に挟んで信号用内部電極３１の信号用主電極部３１ａと互いに対向する領域を含んでいる。すなわち、信号用内部電極３０、３１は、第１及び第２の主面Ｌ１ａ、Ｌ１ｂの対向方向から見て互いに重なる領域を有している。
【０１０８】
信号用内部電極３１の信号用主電極部３１ａは、コンデンサ素体Ｌ１の一部である誘電体層１３（第２の誘電領域）を間に挟んで信号用内部電極３２の信号用主電極部３２ａと互いに対向する領域を含んでいる。すなわち、信号用内部電極３１、３２は、第１及び第２の主面Ｌ１ａ、Ｌ１ｂの対向方向から見て互いに重なる領域を有している。
【０１０９】
信号用内部電極３２の信号用主電極部３２ａは、コンデンサ素体Ｌ１の一部である誘電体層１４（第２の誘電領域）を間に挟んで信号用内部電極３３の信号用主電極部３３ａと互いに対向する領域を含んでいる。すなわち、信号用内部電極３２、３３は、第１及び第２の主面Ｌ１ａ、Ｌ１ｂの対向方向から見て互いに重なる領域を有している。
【０１１０】
信号用内部電極３３の信号用主電極部３３ａは、コンデンサ素体Ｌ１の一部である誘電体層１５（第２の誘電領域）を間に挟んで信号用内部電極３４の信号用主電極部３４ａと互いに対向する領域を含んでいる。すなわち、信号用内部電極３３、３４は、第１及び第２の主面Ｌ１ａ、Ｌ１ｂの対向方向から見て互いに重なる領域を有している。
【０１１１】
信号用内部電極３４の信号用主電極部３４ａは、コンデンサ素体Ｌ１の一部である誘電体層１６（第２の誘電領域）を間に挟んで信号用内部電極３５の信号用主電極部３５ａと互いに対向する領域を含んでいる。すなわち、信号用内部電極３４、３５は、第１及び第２の主面Ｌ１ａ、Ｌ１ｂの対向方向から見て互いに重なる領域を有している。
【０１１２】
信号用内部電極３５の信号用主電極部３５ａは、コンデンサ素体Ｌ１の一部である誘電体層１７（第２の誘電領域）を間に挟んで信号用内部電極３６の信号用主電極部３６ａと互いに対向する領域を含んでいる。すなわち、信号用内部電極３５、３６は、第１及び第２の主面Ｌ１ａ、Ｌ１ｂの対向方向から見て互いに重なる領域を有している。
【０１１３】
図１０及び図１１から明らかなように、信号用内部電極と接地用内部電極との間に位置するコンデンサ素体の一部である第１の誘電領域、すなわち誘電体層１１、１８の第１及び第２の主面Ｌ１ａ、Ｌ１ｂの対向方向での長さが、信号用内部電極同士の間に位置するコンデンサ素体の一部である第２の誘電領域、すなわち誘電体層１２〜１７の第１及び第２の主面Ｌ１ａ、Ｌ１ｂの対向方向での長さよりも長い。
【０１１４】
図１２に示すように、第３及び第４の側面Ｌ１ｅ、Ｌ１ｆの対向方向での接地用主電極部２０ａ、２１ａの幅をｄ１とし、第３及び第４の側面Ｌ１ｅ、Ｌ１ｆの対向方向での信号用主電極部３０ａ〜３６ａの幅をｄ２とすると、本実施形態ではｄ１とｄ２は略同じである。
【０１１５】
貫通型積層コンデンサＣ３では、信号用内部電極３０〜３６の数（第１の数）が７層であり、接地用内部電極２０、２１の数（第２の数）が２層である。すなわち、第１の数の方が第２の数より大きい。よって、貫通型積層コンデンサＣ３では、直流抵抗が大きくなることを抑制することが可能となる。
【０１１６】
また、貫通型積層コンデンサＣ３では、数が多い信号用内部電極３０〜３６の信号用主電極部３０ａ〜３６ａが、誘電体層１２〜１７を間に挟んでと対向する領域を有している。そのため、貫通型積層コンデンサＣ３では、直流抵抗が大きくなることを抑制すべく信号用内部電極の数を大きくしても、静電容量が大きくなってしまうことを抑制することが可能となる。したがって、貫通型積層コンデンサＣ３では、静電容量が大きくなることを抑制しつつ、直流抵抗が大きくなることを抑制することが可能である。
【０１１７】
貫通型積層コンデンサＣ３では、接地用内部電極２０、２１がコンデンサ素体Ｌ１の外表面に近い位置に配置されている。そのため、例えば焼結後にバレル研磨を施して製造したコンデンサ素体Ｌ１では、接地用内部電極２０、２１がコンデンサ素体Ｌ１の外表面に引き出されやすくなる。そのため、接地用内部電極２０、２１は、容易に且つ確実に第１及び第２の接地用端子電極３、４に接続されてやすくなる。
【０１１８】
貫通型積層コンデンサＣ３では、接地用内部電極２０、２１の数が信号用内部電極３０〜３６に比べて少ない。そのため、特に接地用内部電極２０、２１が容易に且つ確実に接地用端子電極３，４に接続されていることが好ましい。
【０１１９】
貫通型積層コンデンサＣ３では、誘電体層１１、１８の第１及び第２の主面Ｌ１ａ、Ｌ１ｂの対向方向での厚さ（長さ）が、誘電体層１２〜１７の第１及び第２の主面Ｌ１ａ、Ｌ１ｂの対向方向での厚さ（長さ）よりも厚い（長い）。そのため、信号用内部電極３０、３６と接地用内部電極２０、２１との間の距離が、信号用内部電極３０〜３６間の距離よりも長くなるため、接地用内部電極２０、２１がコンデンサ素体Ｌ１の外側に配置されやすくなる。その結果、接地用内部電極２０、２１は、容易に且つ確実に第１及び第２の接地用端子電極３、４に接続されてやすくなる。
【０１２０】
貫通型積層コンデンサＣ３では、信号用内部電極３０〜３６において、第３及び第４の側面Ｌ１ｅ、Ｌ１ｆの対向方向での信号用主電極部３０ａ〜３６ａの幅と第３及び第４の側面Ｌ１ｅ、Ｌ１ｆの対向方向での第１及び第２の信号用引き出し電極部３０ｂ〜３６ｂ、３０ｃ〜３６ｃの幅とが同じである。そのため、信号用内部電極３０〜３６と第１及び第２の信号用端子電極１、２との間の接続をより確実に実現することが可能となる。
【０１２１】
ここで、図１３に、本実施形態に係る貫通型積層コンデンサの変形例に含まれるコンデンサ素体の分解斜視図を示す。図１３に示すように、第３及び第４の側面Ｌ１ｅ、Ｌ１ｆの対向方向での信号用主電極部３０ａ〜３６ａの幅ｄ２は、第３及び第４の側面Ｌ１ｅ、Ｌ１ｆの対向方向での接地用主電極部２０、２１の幅ｄ１より広くてもよい。
【０１２２】
このように、信号用主電極部３０ａ〜３６ａの幅を接地用主電極部２０ａ、２１ａに比べて広くすることで、第３実施形態の変形例に係る貫通型積層コンデンサの直流抵抗が大きくなることがさらに抑制される。
【０１２３】
また、信号用主電極部３０ａ〜３６ａの幅を広くすることで、信号用内部電極３０、３６及び接地用内部電極２０、２１の間で積層ずれが起きた場合であっても、これらの間で形成される静電容量に与える影響を抑制することが可能となる。
（第４実施形態）
【０１２４】
図１４〜図１７に基づいて、第４実施形態に係る貫通型積層コンデンサの構成について説明する。図１４は、本実施形態に係る貫通型積層コンデンサの斜視図である。図１５は、図１４に示した貫通型積層コンデンサのXV−XV矢印断面図である。図１６は、図１４に示した貫通型積層コンデンサのXVI−XVI矢印断面図である。図１７は、第４実施形態に係る貫通型積層コンデンサに含まれるコンデンサ素体の分解斜視図である。
【０１２５】
図１４に示すように、貫通型積層コンデンサＣ４は、誘電特性を有するコンデンサ素体Ｌ２と、コンデンサ素体Ｌ２の外表面に配置された第１及び第２の信号用端子電極１、２並びに第１及び第２の接地用端子電極３、４とを備えている。
【０１２６】
コンデンサ素体Ｌ２は、図１４に示されるように、直方体状であり、その外表面として、相対向する長方形状の第１及び第２の主面Ｌ２ａ、Ｌ２ｂと、第１及び第２の主面間を連結するように第１及び第２の主面の短辺方向に伸びている相対向する第１及び第２の側面Ｌ２ｃ、Ｌ２ｄと、第１及び第２の主面間を連結するように第１及び第２の主面の長辺方向に伸びている相対向する第３及び第４の側面Ｌ２ｅ、Ｌ２ｆとを有する。
【０１２７】
第１の信号用端子電極１は、コンデンサ素体Ｌ２の第１の側面Ｌ２ｃ上に配置されている。第１の信号用端子電極１は、第１の側面Ｌ２ｃの第３及び第４の側面Ｌ２ｅ、Ｌ２ｆの対向方向の略中央の一部を、第１及び第２の主面Ｌ２ａ、Ｌ２ｂの対向方向に沿って横断するように覆っている。第１の信号用端子電極１はさらに、第１及び第２の主面Ｌ２ａ、Ｌ２ｂの第１の側面Ｌ２ｃ側の端部の一部も覆う。
【０１２８】
第２の信号用端子電極２は、コンデンサ素体Ｌ２の第２の側面Ｌ２ｄ上に配置されている。第２の信号用端子電極２は、第２の側面Ｌ２ｄの第３及び第４の側面Ｌ２ｅ、Ｌ２ｆの対向方向の略中央の一部を、第１及び第２の主面Ｌ２ａ、Ｌ２ｂの対向方向に沿って横断するように覆っている。第２の信号用端子電極２はさらに、第１及び第２の主面Ｌ２ａ、Ｌ２ｂの第２の側面Ｌ２ｄ側の端部の一部も覆う。
【０１２９】
第１の信号用端子電極１と第２の信号用端子電極２とは、第１の側面Ｌ２ｃと第２の側面Ｌ２ｄとが対向する方向で対向する。
【０１３０】
第１の接地用端子電極３は、コンデンサ素体Ｌ２の第３の側面Ｌ２ｅに配置されている。第１の接地用端子電極３は、第３の側面Ｌ２ｅ全面を覆うように、第１及び第２の主面Ｌ２ａ、Ｌ２ｂ並びに第１及び第２の側面Ｌ２ｃ、Ｌ２ｄの端部（第３の側面Ｌ２ｅ側の端部）に亘って形成されている。第２の接地用端子電極４は、コンデンサ素体Ｌ２の第４の側面Ｌ２ｆに配置されている。第２の接地用端子電極４は、第４の側面Ｌ２ｆ全面を覆うように、第１及び第２の主面Ｌ２ａ、Ｌ２ｂ並びに第１及び第２の側面Ｌ２ｃ、Ｌ２ｄの端部（第４の側面Ｌ２ｆ側の端部）に亘って形成されている。
【０１３１】
第１の接地用端子電極３と第２の接地用端子電極４とは、第３の側面Ｌ２ｅと第４の側面Ｌ２ｆとが対向する方向で対向する。
【０１３２】
これらの第１及び第２の信号用端子電極１、２並びに第１及び第２の接地用端子電極３、４は、コンデンサ素体Ｌ２の表面上においては互いに電気的に絶縁されて形成されている。
【０１３３】
貫通型積層コンデンサＣ４では、第１の主面Ｌ２ａ又は第２の主面Ｌ２ｂを、他の部品（例えば、回路基板や電子部品等）に対する実装面として回路基板等に実装することが好ましい。例えば、コンデンサ素体Ｌ２の第２の主面Ｌ２ｂが回路基板と対向するように貫通型積層コンデンサＣ４を実装する場合、第１及び第２の信号用端子電極１，２を基板上に形成され、信号配線に接続されたランド電極に接続し、第１及び第２の接地用端子電極３、４を基板上に形成され、グランド配線に接続されたグランド電極に接続する。
【０１３４】
コンデンサ素体Ｌ２は、図１５〜図１７に示されるように、第１及び第２の主面Ｌ２ａ、Ｌ２ｂの対向方向に積層された複数（本実施形態では、１０層）の誘電体層５０〜５９を有する。各誘電体層５０〜５９は、例えば誘電体セラミック（ＢａＴｉＯ３系、Ｂａ(Ｔｉ，Ｚｒ)Ｏ３系、又は（Ｂａ，Ｃａ）ＴｉＯ３系等の誘電体セラミック）を含むセラミックグリーンシートの焼結体から構成される。なお、実際のコンデンサ素体Ｌ２では、誘電体層５０〜５９の間の境界が視認できない程度に一体化されている。
【０１３５】
誘電体層５３〜５６は、図１５〜図１７に示されているように、誘電体層５０〜５２、５７〜５９に比べて第１及び第２の主面Ｌ２ａ、Ｌ２ｂの対向方向での厚さが厚い。各誘電体層５０〜５９は、１枚のセラミックグリーンシートの焼結体から構成されていても、あるいは複数枚のセラミックグリーンシートの焼結体から構成されていてもよい。したがって、誘電体層５３〜５６は、積層数の点で多いセラミックグリーンシートの焼結体から構成されることで誘電体層５０〜５２、５７〜５９に比べて厚さが厚くなっていてもよく、あるいは厚さの大きい１枚のセラミックグリーンシートの焼結体から構成されることで誘電体層５０〜５２、５７〜５９に比べて厚さが厚くなっていてもよい。
【０１３６】
コンデンサ素体Ｌ２には、第１の数（本実施形態では７層）の信号用内部電極７０〜７６及び第２の数（本実施形態では２層）の接地用内部電極６０、６１が配置されている。信号用内部電極７０〜７６の数である第１の数は、接地用内部電極６０、６１の数である第２の数より大きい。
【０１３７】
各信号用内部電極７０〜７６は、信号用主電極部７０ａ〜７６ａと、信号用主電極部７０ａ〜７６ａからコンデンサ素体Ｌ２の第１の側面Ｌ２ｃに引き出されるように伸びる第１の信号用引き出し電極部７０ｂ〜７６ｂと、信号用主電極部７０ａ〜７６ａからコンデンサ素体Ｌ２の第２の側面Ｌ２ｄに引き出されるように伸びる第２の信号用引き出し電極部７０ｃ〜７６ｃとを有する。信号用主電極部７０ａ〜７６ａ、第１の信号用引き出し電極部７０ｂ〜７６ｂ、及び第２の信号用引き出し電極部７０ｃ〜７６ｃは、一体的に形成されている。
【０１３８】
信号用主電極部７０ａ〜７６ａは、第１及び第２の側面Ｌ２ｃ、Ｌ２ｄの対向方向を長辺方向とし、第３及び第４の側面Ｌ２ｅ、Ｌ２ｆの対向方向を短辺方向とする矩形状を呈する。
【０１３９】
第１の信号用引き出し電極部７０ｂ〜７６ｂは、信号用主電極部７０ａ〜７６ａの第１の側面Ｌ２ｃ側の端部である短辺の略中央から伸びている。第１の信号用引き出し電極部７０ｂ〜７６ｂは、信号用主電極部７０ａ〜７６ａに比べて第３及び第４の側面Ｌ２ｅ、Ｌ２ｆの対向方向での幅が小さい。第１の信号用引き出し電極部７０ｂ〜７６ｂは、その端が第１の側面Ｌ２ｃに露出し、当該露出した端部で第１の信号用端子電極１に接続される。
【０１４０】
第２の信号用引き出し電極部７０ｃ〜７６ｃは、信号用主電極部７０ａ〜７６ａの第２の側面Ｌ２ｄ側の端部である短辺の略中央から伸びている。第２の信号用引き出し電極部７０ｃ〜７６ｃは、信号用主電極部７０ａ〜７６ａに比べて第３及び第４の側面Ｌ２ｅ、Ｌ２ｆの対向方向での幅が小さい。第２の信号用引き出し電極部７０ｃ〜７６ｃは、その端が第２の側面Ｌ２ｄに露出し、当該露出した端部で第２の信号用端子電極２に接続される。
【０１４１】
第１の信号用端子電極１は、第１の信号用引き出し電極部７０ｂ〜７６ｂの第１の側面Ｌ２ｃに露出した部分をすべて覆うように形成されており、第１の信号用引き出し電極部７０ｂ〜７６ｂは、第１の信号用端子電極１に物理的且つ電気的に接続される。これにより、信号用内部電極７０〜７６は、第１の信号用端子電極１に接続されることとなる。
【０１４２】
第２の信号用端子電極２は、第２の信号用引き出し電極部７０ｃ〜７６ｃの第２の側面Ｌ２ｄに露出した部分をすべて覆うように形成されており、第２の信号用引き出し電極部７０ｃ〜７６ｃは、第２の信号用端子電極２に物理的且つ電気的に接続される。これにより、信号用内部電極７０〜７６は、第２の信号用端子電極２に接続されることとなる。
【０１４３】
図１７に示されるように、第１及び第２の側面Ｌ２ｃ、Ｌ２ｄの対向方向での第１及び第２の接地用引き出し電極部６０ｂ、６１ｂ、６０ｃ、６１ｃの幅ｄ３は、第３及び第４の側面Ｌ２ｅ、Ｌ２ｆの対向方向での第１及び第２の信号用引き出し電極部７０ｂ〜７６ｂ、７０ｃ〜７６ｃの幅ｄ４よりも広い。本実施形態に係る貫通型積層コンデンサＣ４では、第１の信号用引き出し電極部７０ｂ〜７６ｂの幅並びに第２の信号用引き出し電極部７０ｃ〜７６ｃの幅は何れもｄ４であって、同じであるが、異なっていてもよい。
【０１４４】
図１７に示されるように、信号用内部電極７０〜７６において、第３及び第４の側面Ｌ２ｅ、Ｌ２ｆの対向方向での信号用主電極部７０ａ〜７６ａの幅ｄ２は、第３及び第４の側面Ｌ２ｅ、Ｌ２ｆの対向方向での第１の信号用引き出し電極部７０ｂ〜７６ｂの幅ｄ４並びに第３及び第４の側面Ｌ２ｅ、Ｌ２ｆの対向方向での第２の信号用引き出し電極部７０ｃ〜７６ｃの幅ｄ４の何れよりも広い。
【０１４５】
各接地用内部電極６０、６１は、接地用主電極部６０ａ、６１ａと、接地用主電極部６０ａ、６１ａからコンデンサ素体Ｌ２の第３の側面Ｌ２ｅに引き出されるように伸びる第１の接地用引き出し電極部６０ｂ、６１ｂと、接地用主電極部６０ａ、６１ａからコンデンサ素体Ｌ２の第４の側面Ｌ２ｆに引き出されるように伸びる第２の接地用引き出し電極部６０ｃ、６１ｃとを有する。接地用主電極部６０ａ、６１ａ、第１の接地用引き出し電極部６０ｂ、６１ｂ、及び第２の接地用引き出し電極部６０ｃ、６１ｃは、一体的に形成されている。
【０１４６】
接地用主電極部６０ａ、６１ａは、第１及び第２の側面Ｌ２ｃ、Ｌ２ｄの対向方向を長辺方向とし、第３及び第４の側面Ｌ２ｅ、Ｌ２ｆの対向方向を短辺方向とする矩形状を呈する。
【０１４７】
第１の接地用引き出し電極部６０ｂ、６１ｂは、接地用主電極部６０ａ、６１ａの第３の側面Ｌ２ｅ側の端部である長辺の略中央から伸びている。第１の接地用引き出し電極部６０ｂ、６１ｂは、接地用主電極部６０ａ、６１ａに比べて第１及び第２の側面Ｌ２ｃ、Ｌ２ｄの対向方向での幅が小さい。第１の接地用引き出し電極部６０ｂ、６１ｂは、その端が第３の側面Ｌ２ｅに露出し、当該露出した端部で第１の接地用端子電極３に接続される。
【０１４８】
第２の接地用引き出し電極部６０ｃ、６１ｃは、接地用主電極部６０ａ、６１ａの第４の側面Ｌ２ｆ側の端部である長辺の略中央から伸びている。第２の接地用引き出し電極部６０ｃ、６１ｃは、接地用主電極部６０ａ、６１ａに比べて第１及び第２の側面Ｌ２ｃ、Ｌ２ｄの対向方向での幅が小さい。第２の接地用引き出し電極部６０ｃ、６１ｃは、その端が第４の側面Ｌ２ｆに露出し、当該露出した端部で第２の接地用端子電極４に接続される。
【０１４９】
第１の接地用端子電極３は、第１の接地用引き出し電極部６０ｂ、６１ｂの第３の側面Ｌ２ｅに露出した部分をすべて覆うように形成されており、第１の接地用引き出し電極部６０ｂ、６１ｂは、第１の接地用端子電極３に物理的且つ電気的に接続される。これにより、接地用内部電極６０、６１は、第１の接地用端子電極３に接続されることとなる。
【０１５０】
第２の接地用端子電極４は、第２の接地用引き出し電極部６０ｃ、６１ｃの第４の側面Ｌ２ｆに露出した部分をすべて覆うように形成されており、第２の接地用引き出し電極部６０ｃ、６１ｃは、第２の接地用端子電極４に物理的且つ電気的に接続される。これにより、接地用内部電極６０、６１は、第２の接地用端子電極４に接続されることとなる。
【０１５１】
本実施形態では、信号用内部電極７０〜７６及び接地用内部電極６０，６１は、第１及び第２の主面Ｌ２ａ、Ｌ２ｂの対向方向に沿って、信号用内部電極７３が略中央に位置し、接地用内部電極６０、６１がその両隣に位置し、接地用内部電極６０から第１の主面Ｌ２ａに向かって信号用内部電極７２、７１、７０が配置され、接地用内部電極６１から第２の主面Ｌ２ｂに向かって信号用内部電極７４、７５、７６が配置されている。
【０１５２】
信号用内部電極７２の信号用主電極部７２ａは、コンデンサ素体Ｌ２の一部である誘電体層５３（第１の誘電領域）を間に挟んで、接地用内部電極６０の接地用主電極部６０ａと誘電体層５０〜５９の積層方向（第１及び第２の主面Ｌ２ａ、Ｌ２ｂの対向方向）に互いに対向する領域を含んでいる。すなわち、信号用内部電極７２と、接地用内部電極６０とは、第１及び第２の主面Ｌ２ａ、Ｌ２ｂの対向方向から見て互いに重なる領域を有している。したがって、誘電体層５３のうち、信号用内部電極７２の信号用主電極部７２ａと接地用内部電極６０の接地用主電極部６０ａとに重なる部分は、静電容量成分を実質的に生じさせる領域である。
【０１５３】
信号用内部電極７３の信号用主電極部７３ａは、コンデンサ素体Ｌ２の一部である誘電体層５４（第１の誘電領域）を間に挟んで、接地用内部電極６０の接地用主電極部６０ａと誘電体層５０〜５９の積層方向に互いに対向する領域を含んでいる。すなわち、信号用内部電極７３と、接地用内部電極６０とは、第１及び第２の主面Ｌ２ａ、Ｌ２ｂの対向方向から見て互いに重なる領域を有している。したがって、誘電体層５４のうち、信号用内部電極７３の信号用主電極部７３ａと接地用内部電極６０の接地用主電極部６０ａとに重なる部分は、静電容量成分を実質的に生じさせる領域である。
【０１５４】
信号用内部電極７３の信号用主電極部７３ａは、コンデンサ素体Ｌ２の一部である誘電体層５５（第１の誘電領域）を間に挟んで、接地用内部電極６１の接地用主電極部６１ａと誘電体層５０〜５９の積層方向に互いに対向する領域を含んでいる。すなわち、信号用内部電極７３と、接地用内部電極６１とは、第１及び第２の主面Ｌ２ａ、Ｌ２ｂの対向方向から見て互いに重なる領域を有している。したがって、誘電体層５５のうち、信号用内部電極７３の信号用主電極部７３ａと接地用内部電極６１の接地用主電極部６１ａとに重なる部分は、静電容量成分を実質的に生じさせる領域である。
【０１５５】
信号用内部電極７４の信号用主電極部７４ａは、コンデンサ素体Ｌ２の一部である誘電体層５６（第１の誘電領域）を間に挟んで、接地用内部電極６１の接地用主電極部６１ａと誘電体層５０〜５９の積層方向に互いに対向する領域を含んでいる。すなわち、信号用内部電極７４と、接地用内部電極６１とは、第１及び第２の主面Ｌ２ａ、Ｌ２ｂの対向方向から見て互いに重なる領域を有している。したがって、誘電体層５６のうち、信号用内部電極７４の信号用主電極部７４ａと接地用内部電極６１の接地用主電極部６１ａとに重なる部分は、静電容量成分を実質的に生じさせる領域である。
【０１５６】
信号用内部電極７０の信号用主電極部７０ａは、コンデンサ素体Ｌ２の一部である誘電体層５１（第２の誘電領域）を間に挟んで信号用内部電極７１の信号用主電極部７１ａと互いに対向する領域を含んでいる。すなわち、信号用内部電極７０、７１は、第１及び第２の主面Ｌ２ａ、Ｌ２ｂの対向方向から見て互いに重なる領域を有している。
【０１５７】
信号用内部電極７１の信号用主電極部７１ａは、コンデンサ素体Ｌ２の一部である誘電体層５２（第２の誘電領域）を間に挟んで信号用内部電極７２の信号用主電極部７２ａと互いに対向する領域を含んでいる。すなわち、信号用内部電極７１、７２は、第１及び第２の主面Ｌ２ａ、Ｌ２ｂの対向方向から見て互いに重なる領域を有している。
【０１５８】
信号用内部電極７４の信号用主電極部７４ａは、コンデンサ素体Ｌ２の一部である誘電体層５７（第２の誘電領域）を間に挟んで信号用内部電極７５の信号用主電極部７５ａと互いに対向する領域を含んでいる。すなわち、信号用内部電極７４、７５は、第１及び第２の主面Ｌ２ａ、Ｌ２ｂの対向方向から見て互いに重なる領域を有している。
【０１５９】
信号用内部電極７５の信号用主電極部７５ａは、コンデンサ素体Ｌ２の一部である誘電体層５８（第２の誘電領域）を間に挟んで信号用内部電極７６の信号用主電極部７６ａと互いに対向する領域を含んでいる。すなわち、信号用内部電極７５、７６は、第１及び第２の主面Ｌ２ａ、Ｌ２ｂの対向方向から見て互いに重なる領域を有している。
【０１６０】
図１５及び図１６から明らかなように、信号用内部電極と接地用内部電極との間に位置するコンデンサ素体の一部である第１の誘電領域、すなわち誘電体層５３〜５６の第１及び第２の主面Ｌ２ａ、Ｌ２ｂの対向方向での長さが、信号用内部電極同士の間に位置するコンデンサ素体の一部である第２の誘電領域、すなわち誘電体層５１、５２、５７、５８の第１及び第２の主面Ｌ２ａ、Ｌ２ｂの対向方向での長さよりも長い。
【０１６１】
図１７に示すように、第３及び第４の側面Ｌ２ｅ、Ｌ２ｆの対向方向での接地用主電極部６０ａ、６１ａの幅をｄ１とし、第３及び第４の側面Ｌ２ｅ、Ｌ２ｆの対向方向での信号用主電極部７０ａ〜７６ａの幅をｄ２とすると、本実施形態ではｄ１とｄ２は略同じである。
【０１６２】
貫通型積層コンデンサＣ４では、信号用内部電極７０〜７６の数（第１の数）が７層であり、接地用内部電極６０、６１の数（第２の数）が２層である。すなわち、第１の数の方が第２の数より大きい。よって、貫通型積層コンデンサＣ４では、直流抵抗が大きくなることを抑制することが可能となる。
【０１６３】
また、貫通型積層コンデンサＣ４では、数が多い信号用内部電極７０〜７６は、その一部である信号用内部電極７０、７１、７５、７６の信号用主電極部７０ａ、７１ａ、７５ａ、７６ａが、コンデンサ素体Ｌ２の第２の誘電領域である誘電体層５１、５２、５７、５８を間に挟んでと対向する領域を有している。そのため、貫通型積層コンデンサＣ４では、直流抵抗が大きくなることを抑制すべく信号用内部電極の数を大きくしても、静電容量が大きくなってしまうことを抑制することが可能となる。
【０１６４】
本実施形態に係る貫通型積層コンデンサＣ４では、静電容量が大きくなることを抑制しつつ、直流抵抗が大きくなることを抑制することを可能にしている。
【０１６５】
貫通型積層コンデンサＣ４では、誘電体層５３〜５６の第１及び第２の主面Ｌ２ａ、Ｌ２ｂの対向方向での厚さ（長さ）が、誘電体層５１、５２、５７、５８の第１及び第２の主面Ｌ２ａ、Ｌ２ｂの対向方向での厚さ（長さ）よりも厚い（長い）。そのため、信号用内部電極７２〜７４と接地用内部電極６０、６１との間の距離が、信号用内部電極７０〜７２、７４〜７６間の距離よりも長くなるため、接地用内部電極６０、６１がコンデンサ素体Ｌ２の外側に配置されやすくなる。
【０１６６】
コンデンサ素体Ｌ２は、一般に、焼結後、端子電極を外表面に形成する前にバレル研磨を行う。バレル研磨では、コンデンサ素体Ｌ２の外側ほど研磨が進み、側面に引き出されるように伸びた引き出し電極部もより一層外表面に露出しやすくなる。そのため、接地用内部電極６０、６１がコンデンサ素体Ｌ２の外側に配置されることにより、接地用内部電極６０、６１は第１及び第２の接地用端子電極３、４に容易に且つ確実に接続されやすくなる。
【０１６７】
貫通型積層コンデンサＣ４では、信号用内部電極７０〜７６において、第３及び第４の側面Ｌ２ｅ、Ｌ２ｆの対向方向での信号用主電極部７０ａ〜７６ａの幅ｄ２が、第３及び第４の側面Ｌ２ｅ、Ｌ２ｆの対向方向での第１及び第２の信号用引き出し電極部７０ｂ〜７６ｂ、７０ｃ〜７６ｃの幅ｄ４よりも広い。そのため、第１及び第２の信号用端子電極１、２の幅を狭くすることができる。その結果、コンデンサ素体Ｌ２の外表面上において、信号用端子電極１、２と接地用端子電極３、４との間で短絡が発生することが抑制される。
【０１６８】
貫通型積層コンデンサＣ４では、第１及び第２の側面Ｌ２ｃ、Ｌ２ｄの対向方向での第１及び第２の接地用引き出し電極部６０ｂ、６１ｂ、６０ｃ、６１ｃの幅ｄ３は、第３及び第４の側面Ｌ２ｅ、Ｌ２ｆの対向方向での第１及び第２の信号用引き出し電極部７０ｂ〜７６ｂ、７０ｃ〜７６ｃの幅ｄ４よりも広い。したがって、貫通型積層コンデンサＣ４では、等価直列インダクタンス（ＥＳＬ）の値を低減することが可能となる。
【０１６９】
ここで、図１８に、本実施形態に係る貫通型積層コンデンサの変形例に含まれるコンデンサ素体の分解斜視図を示す。図１８に示すように、第３及び第４の側面Ｌ２ｅ、Ｌ２ｆの対向方向での信号用主電極部７０ａ〜７６ａの幅ｄ２は、第３及び第４の側面Ｌ２ｅ、Ｌ２ｆの対向方向での接地用主電極部６０ａ、６１ａの幅ｄ１より広くてもよい。
【０１７０】
このように、信号用主電極部７０ａ〜７６ａの幅を接地用主電極部６０ａ、６１ａに比べて広くすることで、第４実施形態の変形例に係る貫通型積層コンデンサの直流抵抗が大きくなることがさらに抑制される。
【０１７１】
また、信号用主電極部７０ａ〜７６ａの幅を広くすることで、貫通型積層コンデンサＣ４の変形例では、信号用主電極部７２ａ〜７４ａと接地用主電極部６０ａ、６１ａとの間で形成される静電容量が信号用主電極部７２ａ〜７４ａではなく接地用主電極部６０ａ、６１ａの大きさによって規定されることとなる。そのため、信号用内部電極７２〜７４及び接地用内部電極６０、６１が所望の位置からずれて配置された場合であっても、それらの間で形成される静電容量は接地用主電極部６０ａ、６１ａの大きさで結局決まるため、所望の値からずれることが抑制される。すなわち、信号用内部電極７２〜７４及び接地用内部電極６０、６１の間で積層ずれが起きた場合であっても、これらの間で形成される静電容量に与える影響を抑制することが可能となる。その結果、第４実施形態の変形例に係る貫通型積層コンデンサの静電容量のばらつきが抑制される。
（第５実施形態）
【０１７２】
図１９〜図２１に基づいて、第５実施形態に係る貫通型積層コンデンサの構成について説明する。図１９は、図１４に示した第４実施形態に係る貫通型積層コンデンサのXV−XV矢印断面図に相当する、第５実施形態に係る貫通型積層コンデンサの断面図である。図２０は、図１４に示した第４実施形態に係る貫通型積層コンデンサのXVI−XVI矢印断面図に相当する、第５実施形態に係る貫通型積層コンデンサの断面図である。図２１は、第５実施形態に係る貫通型積層コンデンサに含まれるコンデンサ素体の分解斜視図である。
【０１７３】
第５実施形態に係る貫通型積層コンデンサＣ５は、コンデンサ素体Ｌ２内での接地用内部電極６０、６１の配置の点で第４実施形態に係る貫通型積層コンデンサＣ４と相違する。
【０１７４】
第５実施形態に係る貫通型積層コンデンサＣ５は、コンデンサ素体Ｌ２と、コンデンサ素体Ｌ２の外表面に配置された第１及び第２の信号用端子電極１、２並びに第１及び第２の接地用端子電極３、４とを備えている。第１及び第２の信号用端子電極１、２並びに第１及び第２の接地用端子電極３、４は、図１４に示した第４実施形態に係る貫通型積層コンデンサＣ４と同じ配置でコンデンサ素体Ｌ２の外表面上に配置される。
【０１７５】
貫通型積層コンデンサＣ５では、第１の主面Ｌ２ａ又は第２の主面Ｌ２ｂを、他の部品（例えば、回路基板や電子部品等）に対する実装面として回路基板等に実装することが好ましい。
【０１７６】
コンデンサ素体Ｌ２は、図１９〜図２１に示されるように、第１及び第２の主面Ｌ２ａ、Ｌ２ｂの対向方向に積層された複数（本実施形態では、１０層）の誘電体層５０〜５９を有する。
【０１７７】
誘電体層５１、５２、５７、５８は、図１９〜図２１に示されているように、誘電体層５０、５３〜５６、５９に比べて第１及び第２の主面Ｌ２ａ、Ｌ２ｂの対向方向での厚さが厚い。各誘電体層５０〜５９は、１枚のセラミックグリーンシートの焼結体から構成されていても、あるいは複数枚のセラミックグリーンシートの焼結体から構成されていてもよい。
【０１７８】
貫通型積層コンデンサＣ５のコンデンサ素体Ｌ２には、第１の数（本実施形態では７層）の信号用内部電極７０〜７６及び第２の数（本実施形態では２層）の接地用内部電極６０、６１が配置されている。信号用内部電極７０〜７６の数である第１の数は、接地用内部電極６０、６１の数である第２の数より大きい。
【０１７９】
本実施形態では、信号用内部電極７０〜７６及び接地用内部電極６０，６１は、第１及び第２の主面Ｌ２ａ、Ｌ２ｂの対向方向に沿って、略中央に位置する信号用内部電極７３から第１の主面Ｌ２ａに向かって、２層の信号用内部電極７２、７１、接地用内部電極６０、信号用内部電極７０がこの順で配置されており、また信号用内部電極７３から第２の主面Ｌ２ｂに向かって、２層の信号用内部電極７４、７５、接地用内部電極６１、信号用内部電極７６がこの順で配置されている。
【０１８０】
貫通型積層コンデンサＣ５では、接地用内部電極６０は、第１及び第２の主面Ｌ２ａ、Ｌ２ｂの対向方向で見て、コンデンサ素体Ｌ２の第１及び第２の主面Ｌ２ａ、Ｌ２ｂが対向する距離ｈ１の第１の主面Ｌ２ａから４分の１の距離までの領域内に配置されている。すなわち、第１及び第２の主面Ｌ２ａ、Ｌ２ｂの対向方向で見て、第１の主面Ｌ２ａと接地用内部電極６０との間の距離ｈ２は、コンデンサ素体Ｌ２の第１及び第２の主面Ｌ２ａ、Ｌ２ｂが対向する距離ｈ１の４分の１より小さい。
【０１８１】
貫通型積層コンデンサＣ５では、接地用内部電極６１は、第１及び第２の主面Ｌ２ａ、Ｌ２ｂの対向方向で見て、コンデンサ素体Ｌ２の第１及び第２の主面Ｌ２ａ、Ｌ２ｂが対向する距離ｈ１の第２の主面Ｌ２ｂから４分の１の距離までの領域内に配置されている。すなわち、第１及び第２の主面Ｌ２ａ、Ｌ２ｂの対向方向で見て、第２の主面Ｌ２ｂと接地用内部電極６１との間の距離ｈ３は、コンデンサ素体Ｌ２の第１及び第２の主面Ｌ２ａ、Ｌ２ｂが対向する距離ｈ１の４分の１より小さい。
【０１８２】
このように、貫通型積層コンデンサＣ５では、接地用内部電極６０、６１がコンデンサ素体Ｌ２の外表面に近い位置に配置されている。
【０１８３】
信号用内部電極７０の信号用主電極部７０ａは、コンデンサ素体Ｌ２の一部である誘電体層５１（第１の誘電領域）を間に挟んで、接地用内部電極６０の接地用主電極部６０ａと誘電体層５０〜５９の積層方向（第１及び第２の主面Ｌ２ａ、Ｌ２ｂの対向方向）に互いに対向する領域を含んでいる。すなわち、信号用内部電極７０と、接地用内部電極６０とは、第１及び第２の主面Ｌ２ａ、Ｌ２ｂの対向方向から見て互いに重なる領域を有している。したがって、誘電体層５１のうち、信号用内部電極７０の信号用主電極部７０ａと接地用内部電極６０の接地用主電極部６０ａとに重なる部分は、静電容量成分を実質的に生じさせる領域である。
【０１８４】
信号用内部電極７１の信号用主電極部７１ａは、コンデンサ素体Ｌ２の一部である誘電体層５２（第１の誘電領域）を間に挟んで、接地用内部電極６０の接地用主電極部６０ａと誘電体層５０〜５９の積層方向に互いに対向する領域を含んでいる。すなわち、信号用内部電極７１と、接地用内部電極６０とは、第１及び第２の主面Ｌ２ａ、Ｌ２ｂの対向方向から見て互いに重なる領域を有している。したがって、誘電体層５２のうち、信号用内部電極７１の信号用主電極部７１ａと接地用内部電極６０の接地用主電極部６０ａとに重なる部分は、静電容量成分を実質的に生じさせる領域である。
【０１８５】
信号用内部電極７５の信号用主電極部７５ａは、コンデンサ素体Ｌ２の一部である誘電体層５７（第１の誘電領域）を間に挟んで、接地用内部電極６１の接地用主電極部６１ａと誘電体層５０〜５９の積層方向に互いに対向する領域を含んでいる。すなわち、信号用内部電極７５と、接地用内部電極６１とは、第１及び第２の主面Ｌ２ａ、Ｌ２ｂの対向方向から見て互いに重なる領域を有している。したがって、誘電体層５７のうち、信号用内部電極７５の信号用主電極部７５ａと接地用内部電極６１の接地用主電極部６１ａとに重なる部分は、静電容量成分を実質的に生じさせる領域である。
【０１８６】
信号用内部電極７６の信号用主電極部７６ａは、コンデンサ素体Ｌ２の一部である誘電体層５８（第１の誘電領域）を間に挟んで、接地用内部電極６１の接地用主電極部６１ａと誘電体層５０〜５９の積層方向に互いに対向する領域を含んでいる。すなわち、信号用内部電極７６と、接地用内部電極６１とは、第１及び第２の主面Ｌ２ａ、Ｌ２ｂの対向方向から見て互いに重なる領域を有している。したがって、誘電体層５８のうち、信号用内部電極７６の信号用主電極部７６ａと接地用内部電極６１の接地用主電極部６１ａとに重なる部分は、静電容量成分を実質的に生じさせる領域である。
【０１８７】
信号用内部電極７１の信号用主電極部７１ａは、コンデンサ素体Ｌ２の一部である誘電体層５３（第２の誘電領域）を間に挟んで信号用内部電極７２の信号用主電極部７２ａと互いに対向する領域を含んでいる。すなわち、信号用内部電極７１、７２は、第１及び第２の主面Ｌ２ａ、Ｌ２ｂの対向方向から見て互いに重なる領域を有している。
信号用内部電極７２の信号用主電極部７２ａは、コンデンサ素体Ｌ２の一部である誘電体層５４（第２の誘電領域）を間に挟んで信号用内部電極７３の信号用主電極部７３ａと互いに対向する領域を含んでいる。すなわち、信号用内部電極７２、７３は、第１及び第２の主面Ｌ２ａ、Ｌ２ｂの対向方向から見て互いに重なる領域を有している。
【０１８８】
信号用内部電極７３の信号用主電極部７３ａは、コンデンサ素体Ｌ２の一部である誘電体層５５（第２の誘電領域）を間に挟んで信号用内部電極７４の信号用主電極部７５ａと互いに対向する領域を含んでいる。すなわち、信号用内部電極７３、７４は、第１及び第２の主面Ｌ２ａ、Ｌ２ｂの対向方向から見て互いに重なる領域を有している。
【０１８９】
信号用内部電極７４の信号用主電極部７４ａは、コンデンサ素体Ｌ２の一部である誘電体層５６（第２の誘電領域）を間に挟んで信号用内部電極７５の信号用主電極部７５ａと互いに対向する領域を含んでいる。すなわち、信号用内部電極７４、７５は、第１及び第２の主面Ｌ２ａ、Ｌ２ｂの対向方向から見て互いに重なる領域を有している。
【０１９０】
図１９及び図２０から明らかなように、信号用内部電極と接地用内部電極との間に位置するコンデンサ素体の一部である第１の誘電領域、すなわち誘電体層５１、５２、５７、５８の第１及び第２の主面Ｌ２ａ、Ｌ２ｂの対向方向での長さが、信号用内部電極同士の間に位置するコンデンサ素体の一部である第２の誘電領域、すなわち誘電体層５３〜５６の第１及び第２の主面Ｌ２ａ、Ｌ２ｂの対向方向での長さよりも長い。
【０１９１】
図２１に示すように、第３及び第４の側面Ｌ２ｅ、Ｌ２ｆの対向方向での接地用主電極部６０ａ、６１ａの幅をｄ１とし、第３及び第４の側面Ｌ２ｅ、Ｌ２ｆの対向方向での信号用主電極部７０ａ〜７６ａの幅をｄ２とすると、本実施形態ではｄ１とｄ２は略同じである。
【０１９２】
図２１に示されるように、第１及び第２の側面Ｌ２ｃ、Ｌ２ｄの対向方向での第１及び第２の接地用引き出し電極部６０ｂ、６１ｂ、６０ｃ、６１ｃの幅ｄ３は、第３及び第４の側面Ｌ２ｅ、Ｌ２ｆの対向方向での第１及び第２の信号用引き出し電極部７０ｂ〜７６ｂ、７０ｃ〜７６ｃの幅ｄ４よりも広い。
【０１９３】
本実施形態に係る貫通型積層コンデンサＣ５では、第１の信号用引き出し電極部７０ｂ〜７６ｂの幅並びに第２の信号用引き出し電極部７０ｃ〜７６ｃの幅は何れもｄ４であって、同じであるが、異なっていてもよい。
【０１９４】
図２１に示されるように、信号用内部電極７０〜７６において、第３及び第４の側面Ｌ２ｅ、Ｌ２ｆの対向方向での信号用主電極部７０ａ〜７６ａの幅ｄ２は、第３及び第４の側面Ｌ２ｅ、Ｌ２ｆの対向方向での第１の信号用引き出し電極部７０ｂ〜７６ｂの幅ｄ４並びに第３及び第４の側面Ｌ２ｅ、Ｌ２ｆの対向方向での第２の信号用引き出し電極部７０ｃ〜７６ｃの幅ｄ４の何れよりも広い。
【０１９５】
貫通型積層コンデンサＣ５では、信号用内部電極７０〜７６の数（第１の数）が７層であり、接地用内部電極６０、６１の数（第２の数）が２層である。すなわち、第１の数の方が第２の数より大きい。よって、貫通型積層コンデンサＣ５では、直流抵抗が大きくなることを抑制することが可能となる。
【０１９６】
また、貫通型積層コンデンサＣ５では、数が多い信号用内部電極７０〜７６の一部である信号用内部電極７１〜７５の信号用主電極部７１ａ〜７５ａが、誘電体層５３〜５６を間に挟んでと対向する領域を有している。そのため、貫通型積層コンデンサＣ５では、直流抵抗が大きくなることを抑制すべく信号用内部電極の数を大きくしても、静電容量が大きくなってしまうことを抑制することが可能となる。したがって、貫通型積層コンデンサＣ５では、静電容量が大きくなることを抑制しつつ、直流抵抗が大きくなることを抑制することが可能である。
【０１９７】
貫通型積層コンデンサＣ５では、接地用内部電極６０、６１がコンデンサ素体Ｌ２の外表面に近い位置に配置されている。そのため、例えば焼結後にバレル研磨を施して製造したコンデンサ素体Ｌ２では、接地用内部電極６０、６１がコンデンサ素体Ｌ２の外表面に引き出されやすくなる。そのため、接地用内部電極６０、６１は、容易に且つ確実に第１及び第２の接地用端子電極３、４に接続されてやすくなる。
【０１９８】
貫通型積層コンデンサＣ５では、接地用内部電極６０、６１の数が信号用内部電極７０〜７６に比べて少ない。そのため、特に接地用内部電極６０、６１が容易に且つ確実に接地用端子電極３，４に接続されていることが好ましい。
【０１９９】
貫通型積層コンデンサＣ５では、誘電体層５１、５２、５７、５８の第１及び第２の主面Ｌ２ａ、Ｌ２ｂの対向方向での厚さ（長さ）が、誘電体層５３〜５６の第１及び第２の主面Ｌ２ａ、Ｌ２ｂの対向方向での厚さ（長さ）よりも厚い（長い）。そのため、信号用内部電極７０、７１、７５、７６と接地用内部電極６０、６１との間の距離が、信号用内部電極７１〜７５間の距離よりも長くなるため、接地用内部電極６０、６１がコンデンサ素体Ｌ２の外側に配置されやすくなる。その結果、接地用内部電極６０、６１は、容易に且つ確実に第１及び第２の接地用端子電極３、４に接続されてやすくなる。
【０２００】
貫通型積層コンデンサＣ５では、信号用内部電極７０〜７６において、第３及び第４の側面Ｌ２ｅ、Ｌ２ｆの対向方向での信号用主電極部７０ａ〜７６ａの幅ｄ２が、第３及び第４の側面Ｌ２ｅ、Ｌ２ｆの対向方向での第１及び第２の信号用引き出し電極部７０ｂ〜７６ｂ、７０ｃ〜７６ｃの幅ｄ４よりも広い。そのため、第１及び第２の信号用端子電極１、２の幅を狭くすることができる。その結果、コンデンサ素体Ｌ２の外表面上において、信号用端子電極１、２と接地用端子電極３、４との間で短絡が発生することが抑制される。
【０２０１】
貫通型積層コンデンサＣ５では、第１及び第２の側面Ｌ２ｃ、Ｌ２ｄの対向方向での第１及び第２の接地用引き出し電極部６０ｂ、６１ｂ、６０ｃ、６１ｃの幅ｄ３は、第３及び第４の側面Ｌ２ｅ、Ｌ２ｆの対向方向での第１及び第２の信号用引き出し電極部７０ｂ〜７６ｂ、７０ｃ〜７６ｃの幅ｄ４よりも広い。したがって、貫通型積層コンデンサＣ５では、等価直列インダクタンス（ＥＳＬ）の値を低減することが可能となる。
【０２０２】
ここで、図２２に、本実施形態に係る貫通型積層コンデンサの変形例に含まれるコンデンサ素体の分解斜視図を示す。図２２に示すように、第３及び第４の側面Ｌ２ｅ、Ｌ２ｆの対向方向での信号用主電極部７０ａ〜７６ａの幅ｄ２は、第３及び第４の側面Ｌ２ｅ、Ｌ２ｆの対向方向での接地用主電極部６０、６１の幅ｄ１より広くてもよい。
【０２０３】
このように、信号用主電極部７０ａ〜７６ａの幅を接地用主電極部６０ａ、６１ａに比べて広くすることで、第５実施形態の変形例に係る貫通型積層コンデンサの直流抵抗が大きくなることがさらに抑制される。
【０２０４】
また、信号用主電極部７０ａ〜７６ａの幅を広くすることで、信号用内部電極７０、７１、７５、７６及び接地用内部電極６０、６１の間で積層ずれが起きた場合であっても、これらの間で形成される静電容量に与える影響を抑制することが可能となる。
（第６実施形態）
【０２０５】
図２３〜図２５に基づいて、第６実施形態に係る貫通型積層コンデンサの構成について説明する。図２３は、図１に示した第４実施形態に係る貫通型積層コンデンサのXV−XV矢印断面図に相当する、第６実施形態に係る貫通型積層コンデンサの断面図である。図２４は、図１に示した第４実施形態に係る貫通型積層コンデンサのXVI−XVI矢印断面図に相当する、第６実施形態に係る貫通型積層コンデンサの断面図である。図２５は、第６実施形態に係る貫通型積層コンデンサに含まれるコンデンサ素体の分解斜視図である。
【０２０６】
第６実施形態に係る貫通型積層コンデンサＣ６は、コンデンサ素体Ｌ２内での接地用内部電極６０、６１の配置の点で第４実施形態に係る貫通型積層コンデンサＣ４と相違する。
【０２０７】
第６実施形態に係る貫通型積層コンデンサＣ６は、コンデンサ素体Ｌ２と、コンデンサ素体Ｌ２の外表面に配置された第１及び第２の信号用端子電極１、２並びに第１及び第２の接地用端子電極３、４とを備えている。第１及び第２の信号用端子電極１、２並びに第１及び第２の接地用端子電極３、４は、図１に示した第４実施形態に係る貫通型積層コンデンサＣ４と同じ配置でコンデンサ素体Ｌ２の外表面上に配置される。
【０２０８】
貫通型積層コンデンサＣ６では、第１の主面Ｌ２ａ又は第２の主面Ｌ２ｂを、他の部品（例えば、回路基板や電子部品等）に対する実装面として回路基板等に実装することが好ましい。
【０２０９】
コンデンサ素体Ｌ２は、図２３〜図２５に示されるように、第１及び第２の主面Ｌ２ａ、Ｌ２ｂの対向方向に積層された複数（本実施形態では、１０層）の誘電体層５０〜５９を有する。
【０２１０】
誘電体層５０、５１、５８、５９は、図２３〜図２５に示されているように、誘電体層５２〜５７に比べて第１及び第２の主面Ｌ２ａ、Ｌ２ｂの対向方向での厚さが厚い。各誘電体層５０〜５９は、１枚のセラミックグリーンシートの焼結体から構成されていても、あるいは複数枚のセラミックグリーンシートの焼結体から構成されていてもよい。
【０２１１】
貫通型積層コンデンサＣ６のコンデンサ素体Ｌ２には、第１の数（本実施形態では７層）の信号用内部電極７０〜７６及び第２の数（本実施形態では２層）の接地用内部電極６０、６１が配置されている。信号用内部電極７０〜７６の数である第１の数は、接地用内部電極６０、６１の数である第２の数より大きい。
【０２１２】
本実施形態では、信号用内部電極７０〜７６及び接地用内部電極６０，６１は、第１及び第２の主面Ｌ２ａ、Ｌ２ｂの対向方向に沿って、略中央に位置する信号用内部電極７３から第１の主面Ｌ２ａに向かって、３層の信号用内部電極７２、７１、７０、接地用内部電極６０がこの順で配置されており、また信号用内部電極７３から第２の主面Ｌ２ｂに向かって、３層の信号用内部電極７４、７５、７６、接地用内部電極６１がこの順で配置されている。
【０２１３】
貫通型積層コンデンサＣ６では、接地用内部電極６０は、第１及び第２の主面Ｌ２ａ、Ｌ２ｂの対向方向で見て、第１の数の信号用内部電極７０〜７６の何れよりも第１の主面Ｌ２ａ側に配置されている。接地用内部電極６１は、第１及び第２の主面Ｌ２ａ、Ｌ２ｂの対向方向で見て、第１の数の信号用内部電極７０〜７６の何れよりも第２の主面Ｌ２ｂ側に配置されている。このように、貫通型積層コンデンサＣ６では、接地用内部電極６０、６１がコンデンサ素体Ｌ２の外表面に近い位置に配置されている。
【０２１４】
信号用内部電極７０の信号用主電極部７０ａは、コンデンサ素体Ｌ２の一部である誘電体層５１（第１の誘電領域）を間に挟んで、接地用内部電極６０の接地用主電極部６０ａと誘電体層５０〜５９の積層方向（第１及び第２の主面Ｌ２ａ、Ｌ２ｂの対向方向）に互いに対向する領域を含んでいる。すなわち、信号用内部電極７０と、接地用内部電極６０とは、第１及び第２の主面Ｌ２ａ、Ｌ２ｂの対向方向から見て互いに重なる領域を有している。したがって、誘電体層５１のうち、信号用内部電極７０の信号用主電極部７０ａと接地用内部電極６０の接地用主電極部６０ａとに重なる部分は、静電容量成分を実質的に生じさせる領域である。
【０２１５】
信号用内部電極７６の信号用主電極部７６ａは、コンデンサ素体Ｌ２の一部である誘電体層５８（第１の誘電領域）を間に挟んで、接地用内部電極６１の接地用主電極部６１ａと誘電体層５０〜５９の積層方向に互いに対向する領域を含んでいる。すなわち、信号用内部電極７６と、接地用内部電極６１とは、第１及び第２の主面Ｌ２ａ、Ｌ２ｂの対向方向から見て互いに重なる領域を有している。したがって、誘電体層５８のうち、信号用内部電極７６の信号用主電極部７６ａと接地用内部電極６１の接地用主電極部６１ａとに重なる部分は、静電容量成分を実質的に生じさせる領域である。
【０２１６】
信号用内部電極７０の信号用主電極部７０ａは、コンデンサ素体Ｌ２の一部である誘電体層５２（第２の誘電領域）を間に挟んで信号用内部電極７１の信号用主電極部７１ａと互いに対向する領域を含んでいる。すなわち、信号用内部電極７０、７１は、第１及び第２の主面Ｌ２ａ、Ｌ２ｂの対向方向から見て互いに重なる領域を有している。
【０２１７】
信号用内部電極７１の信号用主電極部７１ａは、コンデンサ素体Ｌ２の一部である誘電体層５３（第２の誘電領域）を間に挟んで信号用内部電極７２の信号用主電極部７２ａと互いに対向する領域を含んでいる。すなわち、信号用内部電極７１、７２は、第１及び第２の主面Ｌ２ａ、Ｌ２ｂの対向方向から見て互いに重なる領域を有している。
【０２１８】
信号用内部電極７２の信号用主電極部７２ａは、コンデンサ素体Ｌ２の一部である誘電体層５４（第２の誘電領域）を間に挟んで信号用内部電極７３の信号用主電極部７３ａと互いに対向する領域を含んでいる。すなわち、信号用内部電極７２、７３は、第１及び第２の主面Ｌ２ａ、Ｌ２ｂの対向方向から見て互いに重なる領域を有している。
【０２１９】
信号用内部電極７３の信号用主電極部７３ａは、コンデンサ素体Ｌ２の一部である誘電体層５５（第２の誘電領域）を間に挟んで信号用内部電極７４の信号用主電極部７４ａと互いに対向する領域を含んでいる。すなわち、信号用内部電極７３、７４は、第１及び第２の主面Ｌ２ａ、Ｌ２ｂの対向方向から見て互いに重なる領域を有している。
【０２２０】
信号用内部電極７４の信号用主電極部７４ａは、コンデンサ素体Ｌ２の一部である誘電体層５６（第２の誘電領域）を間に挟んで信号用内部電極７５の信号用主電極部７５ａと互いに対向する領域を含んでいる。すなわち、信号用内部電極７４、７５は、第１及び第２の主面Ｌ２ａ、Ｌ２ｂの対向方向から見て互いに重なる領域を有している。
【０２２１】
信号用内部電極７５の信号用主電極部７５ａは、コンデンサ素体Ｌ２の一部である誘電体層５７（第２の誘電領域）を間に挟んで信号用内部電極７６の信号用主電極部７６ａと互いに対向する領域を含んでいる。すなわち、信号用内部電極７５、７６は、第１及び第２の主面Ｌ２ａ、Ｌ２ｂの対向方向から見て互いに重なる領域を有している。
【０２２２】
図２３及び図２４から明らかなように、信号用内部電極と接地用内部電極との間に位置するコンデンサ素体の一部である第１の誘電領域、すなわち誘電体層５１、５８の第１及び第２の主面Ｌ２ａ、Ｌ２ｂの対向方向での長さが、信号用内部電極同士の間に位置するコンデンサ素体の一部である第２の誘電領域、すなわち誘電体層５２〜５７の第１及び第２の主面Ｌ２ａ、Ｌ２ｂの対向方向での長さよりも長い。
【０２２３】
図２５に示すように、第３及び第４の側面Ｌ２ｅ、Ｌ２ｆの対向方向での接地用主電極部６０ａ、６１ａの幅をｄ１とし、第３及び第４の側面Ｌ２ｅ、Ｌ２ｆの対向方向での信号用主電極部７０ａ〜７６ａの幅をｄ２とすると、本実施形態ではｄ１とｄ２は略同じである。
【０２２４】
図２５に示されるように、第１及び第２の側面Ｌ２ｃ、Ｌ２ｄの対向方向での第１及び第２の接地用引き出し電極部６０ｂ、６１ｂ、６０ｃ、６１ｃの幅ｄ３は、第３及び第４の側面Ｌ２ｅ、Ｌ２ｆの対向方向での第１及び第２の信号用引き出し電極部７０ｂ〜７６ｂ、７０ｃ〜７６ｃの幅ｄ４よりも広い。
【０２２５】
本実施形態に係る貫通型積層コンデンサＣ６では、第１の信号用引き出し電極部７０ｂ〜７６ｂの幅並びに第２の信号用引き出し電極部７０ｃ〜７６ｃの幅は何れもｄ４であって、同じであるが、異なっていてもよい。
【０２２６】
図２５に示されるように、信号用内部電極７０〜７６において、第３及び第４の側面Ｌ２ｅ、Ｌ２ｆの対向方向での信号用主電極部７０ａ〜７６ａの幅ｄ２は、第３及び第４の側面Ｌ２ｅ、Ｌ２ｆの対向方向での第１の信号用引き出し電極部７０ｂ〜７６ｂの幅ｄ４並びに第３及び第４の側面Ｌ２ｅ、Ｌ２ｆの対向方向での第２の信号用引き出し電極部７０ｃ〜７６ｃの幅ｄ４の何れよりも広い。
【０２２７】
貫通型積層コンデンサＣ６では、信号用内部電極７０〜７６の数（第１の数）が７層であり、接地用内部電極６０、６１の数（第２の数）が２層である。すなわち、第１の数の方が第２の数より大きい。よって、貫通型積層コンデンサＣ６では、直流抵抗が大きくなることを抑制することが可能となる。
【０２２８】
また、貫通型積層コンデンサＣ６では、数が多い信号用内部電極７０〜７６の信号用主電極部７０ａ〜７６ａが、誘電体層５２〜５７を間に挟んでと対向する領域を有している。そのため、貫通型積層コンデンサＣ６では、直流抵抗が大きくなることを抑制すべく信号用内部電極の数を大きくしても、静電容量が大きくなってしまうことを抑制することが可能となる。したがって、貫通型積層コンデンサＣ６では、静電容量が大きくなることを抑制しつつ、直流抵抗が大きくなることを抑制することが可能である。
【０２２９】
貫通型積層コンデンサＣ６では、接地用内部電極６０、６１がコンデンサ素体Ｌ２の外表面に近い位置に配置されている。そのため、例えば焼結後にバレル研磨を施して製造したコンデンサ素体Ｌ２では、接地用内部電極６０、６１がコンデンサ素体Ｌ２の外表面に引き出されやすくなる。そのため、接地用内部電極６０、６１は、容易に且つ確実に第１及び第２の接地用端子電極３、４に接続されてやすくなる。
【０２３０】
貫通型積層コンデンサＣ６では、接地用内部電極６０、６１の数が信号用内部電極７０〜７６に比べて少ない。そのため、特に接地用内部電極６０、６１が容易に且つ確実に接地用端子電極３，４に接続されていることが好ましい。
【０２３１】
貫通型積層コンデンサＣ６では、誘電体層５１、５８の第１及び第２の主面Ｌ２ａ、Ｌ２ｂの対向方向での厚さ（長さ）が、誘電体層５２〜５７の第１及び第２の主面Ｌ２ａ、Ｌ２ｂの対向方向での厚さ（長さ）よりも厚い（長い）。そのため、信号用内部電極７０、７６と接地用内部電極６０、６１との間の距離が、信号用内部電極７０〜７６間の距離よりも長くなるため、接地用内部電極６０、６１がコンデンサ素体Ｌ２の外側に配置されやすくなる。その結果、接地用内部電極６０、６１は、容易に且つ確実に第１及び第２の接地用端子電極３、４に接続されてやすくなる。
【０２３２】
貫通型積層コンデンサＣ６では、信号用内部電極７０〜７６において、第３及び第４の側面Ｌ２ｅ、Ｌ２ｆの対向方向での信号用主電極部７０ａ〜７６ａの幅ｄ２が、第３及び第４の側面Ｌ２ｅ、Ｌ２ｆの対向方向での第１及び第２の信号用引き出し電極部７０ｂ〜７６ｂ、７０ｃ〜７６ｃの幅ｄ４よりも広い。そのため、第１及び第２の信号用端子電極１、２の幅を狭くすることができる。その結果、コンデンサ素体Ｌ２の外表面上において、信号用端子電極１、２と接地用端子電極３、４との間で短絡が発生することが抑制される。
【０２３３】
貫通型積層コンデンサＣ６では、第１及び第２の側面Ｌ２ｃ、Ｌ２ｄの対向方向での第１及び第２の接地用引き出し電極部６０ｂ、６１ｂ、６０ｃ、６１ｃの幅ｄ３は、第３及び第４の側面Ｌ２ｅ、Ｌ２ｆの対向方向での第１及び第２の信号用引き出し電極部７０ｂ〜７６ｂ、７０ｃ〜７６ｃの幅ｄ４よりも広い。したがって、貫通型積層コンデンサＣ６では、等価直列インダクタンス（ＥＳＬ）の値を低減することが可能となる。
【０２３４】
ここで、図２６に、本実施形態に係る貫通型積層コンデンサの変形例に含まれるコンデンサ素体の分解斜視図を示す。図２６に示すように、第３及び第４の側面Ｌ２ｅ、Ｌ２ｆの対向方向での信号用主電極部７０ａ〜７６ａの幅ｄ２は、第３及び第４の側面Ｌ２ｅ、Ｌ２ｆの対向方向での接地用主電極部６０、６１の幅ｄ１より広くてもよい。
【０２３５】
このように、信号用主電極部７０ａ〜７６ａの幅を接地用主電極部６０ａ、６１ａに比べて広くすることで、第６実施形態の変形例に係る貫通型積層コンデンサの直流抵抗が大きくなることがさらに抑制される。
【０２３６】
また、信号用主電極部７０ａ〜７６ａの幅を広くすることで、信号用内部電極７０、７６及び接地用内部電極６０、６１の間で積層ずれが起きた場合であっても、これらの間で形成される静電容量に与える影響を抑制することが可能となる。
【０２３７】
以上、本発明の好適な実施形態及び変形例について説明してきたが、本発明は必ずしも上述した実施形態及び変形例に限定されるものではなく、その要旨を逸脱しない範囲で様々な変更が可能である。
【０２３８】
例えば、第１及び第２の信号用端子電極１、２、並びに第１及び第２の接地用端子電極３，４は、コンデンサ素体Ｌ１、Ｌ２の外表面に配置されていればよく、上述した実施形態及び変形例にて示された配置でなくてもよい。
【０２３９】
また、第１及び第２の信号用端子電極１、２、並びに第１及び第２の接地用端子電極３，４は、図１及び図１４に示したような形状で、コンデンサ素体Ｌ１、Ｌ２の外表面上に形成されていなくてもよい。図２７に、図１に示した貫通型積層コンデンサＣ１の変形例の斜視図を示す。図２７に示した貫通型積層コンデンサでは、第１及び第２の信号用端子電極１、２のうち、第１及び第２の主面Ｌ１ａ、Ｌ１ｂに形成された部分の縁が曲線を描いている。また、第１及び第２の接地用端子電極３、４のうち、第１及び第２の主面Ｌ１ａ、Ｌ１ｂに形成された部分の縁が曲線を描いている。
【０２４０】
図２８に、図１４に示した貫通型積層コンデンサＣ４の変形例の斜視図を示す。図２８に示した貫通型積層コンデンサでは、第１及び第２の信号用端子電極１、２のうち、第１及び第２の主面Ｌ２ａ、Ｌ２ｂに形成された部分の縁が曲線を描いている。また、第１及び第２の接地用端子電極３、４のうち、第１及び第２の主面Ｌ２ａ、Ｌ２ｂに形成された部分の縁が曲線を描いている。図２７、図２８のように端子電極を形成することにより、端子電極同士が接続されてしまい、端子電極間で短絡が発生してしまうことが抑制される。
【０２４１】
また、コンデンサ素体Ｌ１、Ｌ２に含まれる誘電体層１０〜１９、５０〜５９の積層数及び各内部電極２０、２１、３０〜３６、６０、６１、７０〜７６の積層数は、信号用内部電極の数が接地用内部電極の数より大きい限り、上述した実施形態及び変形例にて示された数に限られない。各内部電極２０、２１、３０〜３６、６０、６１、７０〜７６の形状は、上述した実施形態及び変形例に示された形状に限られない。各内部電極２０、２１、３０〜３６、６０、６１、７０〜７６のコンデンサ素体Ｌ１、Ｌ２における位置は、上述した実施形態及び変形例に示された位置に限られない。
【０２４２】
第１の誘電領域の第１及び第２の主面Ｌ１ａ（Ｌ２ａ）、Ｌ１ｂ（Ｌ２ｂ）の対向方向での長さが、第２の誘電領域の第１及び第２の主面Ｌ１ａ（Ｌ２ａ）、Ｌ１ｂ（Ｌ２ｂ）の対向方向での長さよりも長くなく、例えば等しくてもよい。
【０２４３】
各信号用内部電極３０〜３６、７０〜７６において、第３及び第４の側面Ｌ１ｅ（Ｌ２ｅ）、Ｌ１ｆ（Ｌ２ｆ）の対向方向での第１の信号用引き出し電極部３０ｂ〜３６ｂ、７０ｂ〜７６ｂの幅と第３及び第４の側面Ｌ１ｅ（Ｌ２ｅ）、Ｌ１ｆ（Ｌ２ｆ）の対向方向での第２の信号用引き出し電極部３０ｃ〜３６ｃ、７０ｃ〜７６ｃの幅とが同じでなくてもよい。
【０２４４】
各信号用内部電極３０〜３６、７０〜７６において、第３及び第４の側面Ｌ１ｅ（Ｌ２ｅ）、Ｌ１ｆ（Ｌ２ｆ）の対向方向での第１の信号用引き出し電極部３０ｂ〜３６ｂ、７０ｂ〜７６ｂの幅と第３及び第４の側面Ｌ１ｅ（Ｌ２ｅ）、Ｌ１ｆ（Ｌ２ｆ）の対向方向での第２の信号用引き出し電極部３０ｃ〜３６ｃ、７０ｃ〜７６ｃの幅とが同じでなくてもよい。したがって、例えば、第３及び第４の側面Ｌ１ｅ（Ｌ２ｅ）、Ｌ１ｆ（Ｌ２ｆ）の対向方向において、第１の信号用引き出し電極部３０ｂ〜３６ｂ、７０ｂ〜７６ｂの幅が信号用主電極部３０ａ〜３６ａ、７０ａ〜７６ａの幅と同じであって、第２の信号用引き出し電極部３０ｃ〜３６ｃ、７０ｃ〜７６ｃの幅が信号用主電極部３０ａ〜３６ａ、７０ａ〜７６ａの幅より狭くてもよい。
【０２４５】
各信号用内部電極３０〜３６、７０〜７６において、第３及び第４の側面Ｌ１ｅ（Ｌ２ｅ）、Ｌ１ｆ（Ｌ２ｆ）の対向方向での信号用主電極部３０ａ〜３６ａ、７０ａ〜７６ａの幅は、第３及び第４の側面Ｌ１ｅ（Ｌ２ｅ）、Ｌ１ｆ（Ｌ２ｆ）の対向方向での第１の信号用引き出し電極部３０ｂ〜３６ｂ、７０ｂ〜７６ｂの幅並びに第３及び第４の側面Ｌ１ｅ（Ｌ２ｅ）、Ｌ１ｆ（Ｌ２ｆ）の対向方向での第２の信号用引き出し電極部３０ｃ〜３６ｃ、７０ｃ〜７６ｃの幅の何れか一方又は双方より狭くてもよい。
【０２４６】
第３及び第４の側面Ｌ１ｅ（Ｌ２ｅ）、Ｌ１ｆ（Ｌ２ｆ）の対向方向での信号用主電極部３０ａ〜３６ａ、７０ａ〜７６ａの幅は、第３及び第４の側面Ｌ１ｅ（Ｌ２ｅ）、Ｌ１ｆ（Ｌ２ｆ）の対向方向での接地用主電極部２０ａ、２１ａ、６０ａ、６１ａの幅より狭くてもよい。
【０２４７】
第１及び第２の側面Ｌ１ｃ（Ｌ２ｃ）、Ｌ１ｄ（Ｌ２ｄ）の対向方向での接地用引き出し電極部２０ｂ、２１ｂ、２０ｃ、２１ｃ、６０ｂ、６１ｂ、６０ｃ、６１ｃの幅は、第３及び第４の側面Ｌ１ｅ（Ｌ２ｅ）、Ｌ１ｆ（Ｌ２ｆ）の対向方向での第１の信号用引き出し電極部３０ｂ〜３６ｂ、７０ｂ〜７６ｂの幅並びに第３及び第４の側面Ｌ１ｅ（Ｌ２ｅ）、Ｌ１ｆ（Ｌ２ｆ）の対向方向での第２の信号用引き出し電極部３０ｃ〜３６ｃ、７０ｃ〜７６ｃの幅の何れか一方又は双方よりも狭い又は同じであってもよい。
【符号の説明】
【０２４８】
Ｃ１〜Ｃ６…貫通型積層コンデンサ、Ｌ１、Ｌ２…コンデンサ素体、１…第１の信号用端子電極、２…第２の信号用端子電極、３…第１の接地用端子電極、４…第２の接地用端子電極、１０〜１９、５０〜５９…誘電体層、２０、２１、６０、６１…接地用内部電極、２０ａ、２１ａ、６０ａ、６１ａ…接地用主電極部、２０ｂ、２１ｂ、６０ｂ、６１ｂ…第１の接地用引き出し電極部、２０ｃ、２１ｃ、６０ｃ、６１ｃ…第２の接地用引き出し電極部、３０〜３６、７０〜７６…信号用内部電極、３０ａ〜３６ａ…信号用主電極部、３０ｂ〜３６ｂ…第１の信号用引き出し電極部、３０ｃ〜３６ｃ…第２の信号用引き出し電極部。
【図１】
0005304869.tif 000002
【図２】
0005304869.tif 000003
【図３】
0005304869.tif 000004
【図４】
0005304869.tif 000005
【図５】
0005304869.tif 000006
【図６】
0005304869.tif 000007
【図７】
0005304869.tif 000008
【図８】
0005304869.tif 000009
【図９】
0005304869.tif 000010
【図１０】
0005304869.tif 000011
【図１１】
0005304869.tif 000012
【図１２】
0005304869.tif 000013
【図１３】
0005304869.tif 000014
【図１４】
0005304869.tif 000015
【図１５】
0005304869.tif 000016
【図１６】
0005304869.tif 000017
【図１７】
0005304869.tif 000018
【図１８】
0005304869.tif 000019
【図１９】
0005304869.tif 000020
【図２０】
0005304869.tif 000021
【図２１】
0005304869.tif 000022
【図２２】
0005304869.tif 000023
【図２３】
0005304869.tif 000024
【図２４】
0005304869.tif 000025
【図２５】
0005304869.tif 000026
【図２６】
0005304869.tif 000027
【図２７】
0005304869.tif 000028
【図２８】
0005304869.tif 000029